(57)【要約】【課題】上りリンクにおける送信を効率的に実行する。【解決手段】端末装置であって、パラメータ（skipUplinkTxSPS）が含まれるＲＲＣメッセージを受信し、セミパーシステントスケジューリングの活性化を指示するために用いられる第１の上りリンクグラントを受信する受信部と、前記パラメータ（skipUplinkTxSPS）が設定されているかどうか、および、送信に対してパディングＢＳＲのみが利用可能な状態であるかどうかに関わらず、レポートをトリガするようにセットされたＣＳＩリクエストフィールドが含まれる前記第１の上りリンクグラントを受信した場合には、所定の条件を満たす最初のサブフレームにおいて上りリンクの送信を実行する。【選択図】図４
2019153824.tif 000002
【特許請求の範囲】
【請求項１】
パラメータ（skipUplinkTxSPS）が含まれるＲＲＣメッセージを受信し、
セミパーシステントスケジューリングの活性化を指示するために用いられる第１の上りリンクグラントを受信する受信部と、
前記第１の上りリンクグラントを、設定される上りリンクグラントとしてストアし、
所定の条件を満たすサブフレームにおいて前記設定される上りリンクグラントが発生されるとみなし、
前記第１の上りリンクグラントに対応するＣＳＩリクエストフィールドがレポートをトリガするようにセットされている場合を除き、前記パラメータ（skipUplinkTxSPS）が設
定されており、且つ、送信に対してパディングＢＳＲのみが利用可能な状態である場合には、前記所定の条件を満たす最初のサブフレームにおける前記設定される上りリンクグラントに対応する第１の送信をスキップし、
前記パラメータ（skipUplinkTxSPS）が設定されており、レポートをトリガしないよう
にセットされたＣＳＩリクエストフィールドが含まれる前記第１の上りリンクグラントを受信し、且つ、送信に対してパディングＢＳＲのみが利用可能な状態でない場合には、前記所定の条件を満たす最初のサブフレームにおける前記設定される上りリンクグラントに対応する第２の送信を実行し、
前記パラメータ（skipUplinkTxSPS）が設定されているかどうか、および、送信に対し
てパディングＢＳＲのみが利用可能な状態であるかどうかに関わらず、レポートをトリガするようにセットされたＣＳＩリクエストフィールドが含まれる前記第１の上りリンクグラントを受信した場合には、前記所定の条件を満たす最初のサブフレームにおける前記設定される上りリンクグラントに対応する第３の送信を実行する送信部と、を備える
端末装置。
【請求項２】
前記第３の送信には、少なくとも、アピリオディックＣＳＩレポートが含まれる
請求項１に記載の端末装置。
【請求項３】
前記送信部は、
前記第１の上りリンクグラントに対応するＣＳＩリクエストフィールドがレポートをトリガするようにセットされているかどうかに関わらず、前記パラメータ（skipUplinkTxSPS）が設定されており、且つ、送信に対してパディングＢＳＲのみが利用可能な状態でな
い場合には、前記所定の条件を満たす最初のサブフレームとは異なる前記所定の条件を満たすサブフレームにおける前記設定される上りリンクグラントに対応する第４の送信を実行する
請求項１または請求項２に記載の端末装置。
【請求項４】
前記送信部は、
前記第１の上りリンクグラントに対応するＣＳＩリクエストフィールドがレポートをトリガするようにセットされているかどうかに関わらず、前記パラメータ（skipUplinkTxSPS）が設定されており、且つ、送信に対してパディングＢＳＲのみが利用可能な状態であ
る場合には、前記所定の条件を満たす最初のサブフレームとは異なる前記所定の条件を満たすサブフレームにおける前記設定される上りリンクグラントに対応する第５の送信をスキップする
請求項１から請求項３のいずれかに記載の端末装置。
【請求項５】
前記受信部は、
セミパーシステントスケジューリングのリリースを指示するために用いられる第２の上りリンクグラントを受信し、
前記送信部は、
前記パラメータ（skipUplinkTxSPS）が設定されているかどうか、および、送信に対し
てパディングＢＳＲのみが利用可能な状態であるかどうかに関わらず、レポートをトリガするようにセットされたＣＳＩリクエストフィールドが含まれる前記第２の上りリンクグラントを受信した場合には、前記所定の条件を満たす最初のサブフレームにおける前記設定される上りリンクグラントに対応する第６の送信を実行する
請求項１から請求項４のいずれかに記載の端末装置。
【請求項６】
前記第６の送信には、少なくとも、アピリオディックＣＳＩレポートが含まれる
請求項５に記載の端末装置。
【請求項７】
パラメータ（skipUplinkTxSPS）が含まれるＲＲＣメッセージを送信し、
セミパーシステントスケジューリングの活性化を指示するために用いられる第１の上りリンクグラントを送信する送信部と、
前記第１の上りリンクグラントを、設定される上りリンクグラントとしてストアし、
所定の条件を満たすサブフレームにおいて前記設定される上りリンクグラントが発生されるとみなし、
前記第１の上りリンクグラントに対応するＣＳＩリクエストフィールドがレポートをトリガするようにセットしている場合を除き、前記パラメータ（skipUplinkTxSPS）を設定
しており、且つ、端末装置が送信に対してパディングＢＳＲのみが利用可能な状態である場合には、前記所定の条件を満たす最初のサブフレームにおける前記設定される上りリンクグラントに対応する第１の送信がスキップされるとみなし、
前記パラメータ（skipUplinkTxSPS）が設定されており、レポートをトリガしないよう
にセットしたＣＳＩリクエストフィールドが含まれる前記第１の上りリンクグラントを送信し、且つ、前記端末装置が送信に対してパディングＢＳＲのみが利用可能な状態でない場合には、前記所定の条件を満たす最初のサブフレームにおける前記設定される上りリンクグラントに対応する第２の送信を受信し、
前記パラメータ（skipUplinkTxSPS）を設定しているかどうか、および、前記端末装置
が送信に対してパディングＢＳＲのみが利用可能な状態であるかどうかに関わらず、レポートをトリガするようにセットしたＣＳＩリクエストフィールドが含まれる前記第１の上りリンクグラントを送信した場合には、前記所定の条件を満たす最初のサブフレームにおける前記設定される上りリンクグラントに対応する第３の送信を受信する受信部と、を備える
基地局装置。
【請求項８】
前記第３の送信には、少なくとも、アピリオディックＣＳＩレポートが含まれる
請求項７に記載の基地局装置。
【請求項９】
前記受信部は、
前記第１の上りリンクグラントに対応するＣＳＩリクエストフィールドがレポートをトリガするようにセットしたかどうかに関わらず、前記パラメータ（skipUplinkTxSPS）を
設定しており、且つ、前記端末装置が送信に対してパディングＢＳＲのみが利用可能な状態でない場合には、前記所定の条件を満たす最初のサブフレームとは異なる前記所定の条件を満たすサブフレームにおける前記設定される上りリンクグラントに対応する第４の送信を受信する
請求項７または請求項８に記載の基地局装置。
【請求項１０】
前記受信部は、
前記第１の上りリンクグラントに対応するＣＳＩリクエストフィールドがレポートをトリガするようにセットしているかどうかに関わらず、前記パラメータ（skipUplinkTxSPS
）を設定しており、且つ、前記端末装置が送信に対してパディングＢＳＲのみが利用可能
な状態である場合には、前記所定の条件を満たす最初のサブフレームとは異なる前記所定の条件を満たすサブフレームにおける前記設定される上りリンクグラントに対応する第５の送信がスキップされるとみなす
請求項７から請求項９のいずれかに記載の基地局装置。
【請求項１１】
前記送信部は、
セミパーシステントスケジューリングのリリースを指示するために用いられる第２の上りリンクグラントを送信し、
前記受信部は、
前記パラメータ（skipUplinkTxSPS）を設定しているかどうか、および、前記端末装置
が送信に対してパディングＢＳＲのみが利用可能な状態であるかどうかに関わらず、レポートをトリガするようにセットしたＣＳＩリクエストフィールドが含まれる前記第２の上りリンクグラントを送信した場合には、前記所定の条件を満たす最初のサブフレームにおける前記設定される上りリンクグラントに対応する第６の送信を受信する
請求項７から請求項１０のいずれかに記載の基地局装置。
【請求項１２】
前記第６の送信には、少なくとも、アピリオディックＣＳＩレポートが含まれる
請求項１１に記載の基地局装置。
【請求項１３】
パラメータ（skipUplinkTxSPS）が含まれるＲＲＣメッセージを受信し、
セミパーシステントスケジューリングの活性化を指示するために用いられる第１の上りリンクグラントを受信し、
前記第１の上りリンクグラントを、設定される上りリンクグラントとしてストアし、
所定の条件を満たすサブフレームにおいて前記設定される上りリンクグラントが発生されるとみなし、
前記第１の上りリンクグラントに対応するＣＳＩリクエストフィールドがレポートをトリガするようにセットされている場合を除き、前記パラメータ（skipUplinkTxSPS）が設
定されており、且つ、送信に対してパディングＢＳＲのみが利用可能な状態である場合には、前記所定の条件を満たす最初のサブフレームにおける前記設定される上りリンクグラントに対応する第１の送信をスキップし、
前記パラメータ（skipUplinkTxSPS）が設定されており、レポートをトリガしないよう
にセットされたＣＳＩリクエストフィールドが含まれる前記第１の上りリンクグラントを受信し、且つ、送信に対してパディングＢＳＲのみが利用可能な状態でない場合には、前記所定の条件を満たす最初のサブフレームにおける前記設定される上りリンクグラントに対応する第２の送信を実行し、
前記パラメータ（skipUplinkTxSPS）が設定されているかどうか、および、送信に対し
てパディングＢＳＲのみが利用可能な状態であるかどうかに関わらず、レポートをトリガするようにセットされたＣＳＩリクエストフィールドが含まれる前記第１の上りリンクグラントを受信した場合には、前記所定の条件を満たす最初のサブフレームにおける前記設定される上りリンクグラントに対応する第３の送信を実行する
端末装置の通信方法。
【請求項１４】
パラメータ（skipUplinkTxSPS）が含まれるＲＲＣメッセージを送信し、
セミパーシステントスケジューリングの活性化を指示するために用いられる第１の上りリンクグラントを送信し、
前記第１の上りリンクグラントを、設定される上りリンクグラントとしてストアし、
所定の条件を満たすサブフレームにおいて前記設定される上りリンクグラントが発生されるとみなし、
前記第１の上りリンクグラントに対応するＣＳＩリクエストフィールドがレポートをトリガするようにセットしている場合を除き、前記パラメータ（skipUplinkTxSPS）を設定
しており、且つ、端末装置が送信に対してパディングＢＳＲのみが利用可能な状態である場合には、前記所定の条件を満たす最初のサブフレームにおける前記設定される上りリンクグラントに対応する第１の送信がスキップされるとみなし、
前記パラメータ（skipUplinkTxSPS）が設定されており、レポートをトリガしないよう
にセットしたＣＳＩリクエストフィールドが含まれる前記第１の上りリンクグラントを送信し、且つ、前記端末装置が送信に対してパディングＢＳＲのみが利用可能な状態でない場合には、前記所定の条件を満たす最初のサブフレームにおける前記設定される上りリンクグラントに対応する第２の送信を受信し、
前記パラメータ（skipUplinkTxSPS）を設定しているかどうか、および、前記端末装置
が送信に対してパディングＢＳＲのみが利用可能な状態であるかどうかに関わらず、レポートをトリガするようにセットしたＣＳＩリクエストフィールドが含まれる前記第１の上りリンクグラントを送信した場合には、前記所定の条件を満たす最初のサブフレームにおける前記設定される上りリンクグラントに対応する第３の送信を受信する
基地局装置の通信方法。
【請求項１５】
パラメータ（skipUplinkTxSPS）が含まれるＲＲＣメッセージを受信し、
セミパーシステントスケジューリングの活性化を指示するために用いられる第１の上りリンクグラントを受信する機能と、
前記第１の上りリンクグラントを、設定される上りリンクグラントとしてストアし、
所定の条件を満たすサブフレームにおいて前記設定される上りリンクグラントが発生されるとみなし、
前記第１の上りリンクグラントに対応するＣＳＩリクエストフィールドがレポートをトリガするようにセットされている場合を除き、前記パラメータ（skipUplinkTxSPS）が設
定されており、且つ、送信に対してパディングＢＳＲのみが利用可能な状態である場合には、前記所定の条件を満たす最初のサブフレームにおける前記設定される上りリンクグラントに対応する第１の送信をスキップし、
前記パラメータ（skipUplinkTxSPS）が設定されており、レポートをトリガしないよう
にセットされたＣＳＩリクエストフィールドが含まれる前記第１の上りリンクグラントを受信し、且つ、送信に対してパディングＢＳＲのみが利用可能な状態でない場合には、前記所定の条件を満たす最初のサブフレームにおける前記設定される上りリンクグラントに対応する第２の送信を実行し、
前記パラメータ（skipUplinkTxSPS）が設定されているかどうか、および、送信に対し
てパディングＢＳＲのみが利用可能な状態であるかどうかに関わらず、レポートをトリガするようにセットされたＣＳＩリクエストフィールドが含まれる前記第１の上りリンクグラントを受信した場合には、前記所定の条件を満たす最初のサブフレームにおける前記設定される上りリンクグラントに対応する第３の送信を実行する機能と、を端末装置に発揮させる
前記端末装置に搭載される集積回路。
【請求項１６】
パラメータ（skipUplinkTxSPS）が含まれるＲＲＣメッセージを送信し、
セミパーシステントスケジューリングの活性化を指示するために用いられる第１の上りリンクグラントを送信する機能と、
前記第１の上りリンクグラントを、設定される上りリンクグラントとしてストアし、
所定の条件を満たすサブフレームにおいて前記設定される上りリンクグラントが発生されるとみなし、
前記第１の上りリンクグラントに対応するＣＳＩリクエストフィールドがレポートをトリガするようにセットしている場合を除き、前記パラメータ（skipUplinkTxSPS）を設定
しており、且つ、端末装置が送信に対してパディングＢＳＲのみが利用可能な状態である場合には、前記所定の条件を満たす最初のサブフレームにおける前記設定される上りリンクグラントに対応する第１の送信がスキップされるとみなし、
前記パラメータ（skipUplinkTxSPS）が設定されており、レポートをトリガしないよう
にセットしたＣＳＩリクエストフィールドが含まれる前記第１の上りリンクグラントを送信し、且つ、前記端末装置が送信に対してパディングＢＳＲのみが利用可能な状態でない場合には、前記所定の条件を満たす最初のサブフレームにおける前記設定される上りリンクグラントに対応する第２の送信を受信し、
前記パラメータ（skipUplinkTxSPS）を設定しているかどうか、および、前記端末装置
が送信に対してパディングＢＳＲのみが利用可能な状態であるかどうかに関わらず、レポートをトリガするようにセットしたＣＳＩリクエストフィールドが含まれる前記第１の上りリンクグラントを送信した場合には、前記所定の条件を満たす最初のサブフレームにおける前記設定される上りリンクグラントに対応する第３の送信を受信する機能と、を基地局装置に発揮させる
前記基地局装置に搭載される集積回路。
【発明の詳細な説明】
【技術分野】
【０００１】
本発明は、端末装置、基地局装置、通信方法、および、集積回路に関する。
【背景技術】
【０００２】
セルラー移動通信の無線アクセス方式および無線ネットワーク（以下、「Long Term Evolution （LTE）」、または、「Evolved Universal Terrestrial Radio Access : EUTRA
」と称する）が、第三世代パートナーシッププロジェクト（3rd Generation Partnership
Project: 3GPP）において検討されている（非特許文献１）。ＬＴＥでは、基地局装置をｅＮｏｄｅＢ（evolved NodeB）、端末装置をＵＥ（User Equipment）とも称する。ＬＴ
Ｅは、基地局装置がカバーするエリアをセル状に複数配置するセルラー通信システムである。ここで、単一の基地局装置は複数のセルを管理してもよい。
【０００３】
３ＧＰＰにおいて、待ち時間の縮小の強化（latency reduction enhancements）が検討されている。例えば、待ち時間の縮小の強化として、スケジューリングリクエストの高速のグラント（Scheduling request first grant）や事前にスケジュールされた高速のグラント（Pre-scheduled first grant）が検討されている（非特許文献２）。
【先行技術文献】
【非特許文献】
【０００４】
【非特許文献１】"3GPP TS 36.321 V12.6.0 (2015-06) Evolved Universal Terrestrial Radio Access (E-UTRA); Medium Access Control (MAC) protocol specification (Release 12)", 8th-July 2015.
【非特許文献２】"L2 enhancements to reduce latency", R2-153490, Ericsson, 3GPP TSG-RAN WG2#91, Beijing, China, 24-28 August 2015.
【発明の概要】
【発明が解決しようとする課題】
【０００５】
しかしながら、上述のような無線通信システムにおいて、上りリンクにおける送信が実行される際の手順について、具体的な方法は十分に検討されていなかった。
【０００６】
本発明は上記の点に鑑みてなされたものであり、その目的は、上りリンクにおける送信を効率的に実行することができる端末装置、基地局装置、通信方法、および、集積回路を提供することを目的とする。
【課題を解決するための手段】
【０００７】
（１）上記の目的を達成するために、本発明の態様は、以下のような手段を講じた。すなわち、本発明の一様態における端末装置は、パラメータ（skipUplinkTxSPS）が含まれ
るＲＲＣメッセージを受信し、セミパーシステントスケジューリングの活性化を指示するために用いられる第１の上りリンクグラントを受信する受信部と、前記第１の上りリンクグラントを、設定される上りリンクグラントとしてストアし、所定の条件を満たすサブフレームにおいて前記設定される上りリンクグラントが発生されるとみなし、前記第１の上りリンクグラントに対応するＣＳＩリクエストフィールドがレポートをトリガするようにセットされている場合を除き、前記パラメータ（skipUplinkTxSPS）が設定されており、
且つ、送信に対してパディングＢＳＲのみが利用可能な状態である場合には、前記所定の条件を満たす最初のサブフレームにおける前記設定される上りリンクグラントに対応する第１の送信をスキップし、前記パラメータ（skipUplinkTxSPS）が設定されており、レポ
ートをトリガしないようにセットされたＣＳＩリクエストフィールドが含まれる前記第１
の上りリンクグラントを受信し、且つ、送信に対してパディングＢＳＲのみが利用可能な状態でない場合には、前記所定の条件を満たす最初のサブフレームにおける前記設定される上りリンクグラントに対応する第２の送信を実行し、前記パラメータ（skipUplinkTxSPS）が設定されているかどうか、および、送信に対してパディングＢＳＲのみが利用可能
な状態であるかどうかに関わらず、レポートをトリガするようにセットされたＣＳＩリクエストフィールドが含まれる前記第１の上りリンクグラントを受信した場合には、前記所定の条件を満たす最初のサブフレームにおける前記設定される上りリンクグラントに対応する第３の送信を実行する送信部と、を備える。
【０００８】
（２）また、本発明の一様態における基地局装置は、パラメータ（skipUplinkTxSPS）
が含まれるＲＲＣメッセージを送信し、セミパーシステントスケジューリングの活性化を指示するために用いられる第１の上りリンクグラントを送信する送信部と、前記第１の上りリンクグラントを、設定される上りリンクグラントとしてストアし、所定の条件を満たすサブフレームにおいて前記設定される上りリンクグラントが発生されるとみなし、前記第１の上りリンクグラントに対応するＣＳＩリクエストフィールドがレポートをトリガするようにセットしている場合を除き、前記パラメータ（skipUplinkTxSPS）を設定してお
り、且つ、端末装置が送信に対してパディングＢＳＲのみが利用可能な状態である場合には、前記所定の条件を満たす最初のサブフレームにおける前記設定される上りリンクグラントに対応する第１の送信がスキップされるとみなし、前記パラメータ（skipUplinkTxSPS）が設定されており、レポートをトリガしないようにセットしたＣＳＩリクエストフィ
ールドが含まれる前記第１の上りリンクグラントを送信し、且つ、前記端末装置が送信に対してパディングＢＳＲのみが利用可能な状態でない場合には、前記所定の条件を満たす最初のサブフレームにおける前記設定される上りリンクグラントに対応する第２の送信を受信し、前記パラメータ（skipUplinkTxSPS）を設定しているかどうか、および、前記端
末装置が送信に対してパディングＢＳＲのみが利用可能な状態であるかどうかに関わらず、レポートをトリガするようにセットしたＣＳＩリクエストフィールドが含まれる前記第１の上りリンクグラントを送信した場合には、前記所定の条件を満たす最初のサブフレームにおける前記設定される上りリンクグラントに対応する第３の送信を受信する受信部と、を備える。
【０００９】
（３）また、本発明の一様態における端末装置の通信方法は、パラメータ（skipUplinkTxSPS）が含まれるＲＲＣメッセージを受信し、セミパーシステントスケジューリングの
活性化を指示するために用いられる第１の上りリンクグラントを受信し、前記第１の上りリンクグラントを、設定される上りリンクグラントとしてストアし、所定の条件を満たすサブフレームにおいて前記設定される上りリンクグラントが発生されるとみなし、前記第１の上りリンクグラントに対応するＣＳＩリクエストフィールドがレポートをトリガするようにセットされている場合を除き、前記パラメータ（skipUplinkTxSPS）が設定されて
おり、且つ、送信に対してパディングＢＳＲのみが利用可能な状態である場合には、前記所定の条件を満たす最初のサブフレームにおける前記設定される上りリンクグラントに対応する第１の送信をスキップし、前記パラメータ（skipUplinkTxSPS）が設定されており
、レポートをトリガしないようにセットされたＣＳＩリクエストフィールドが含まれる前記第１の上りリンクグラントを受信し、且つ、送信に対してパディングＢＳＲのみが利用可能な状態でない場合には、前記所定の条件を満たす最初のサブフレームにおける前記設定される上りリンクグラントに対応する第２の送信を実行し、前記パラメータ（skipUplinkTxSPS）が設定されているかどうか、および、送信に対してパディングＢＳＲのみが利
用可能な状態であるかどうかに関わらず、レポートをトリガするようにセットされたＣＳＩリクエストフィールドが含まれる前記第１の上りリンクグラントを受信した場合には、前記所定の条件を満たす最初のサブフレームにおける前記設定される上りリンクグラントに対応する第３の送信を実行する。
【００１０】
（４）また、本発明の一様態における基地局装置の通信方法は、パラメータ（skipUplinkTxSPS）が含まれるＲＲＣメッセージを送信し、セミパーシステントスケジューリング
の活性化を指示するために用いられる第１の上りリンクグラントを送信し、前記第１の上りリンクグラントを、設定される上りリンクグラントとしてストアし、所定の条件を満たすサブフレームにおいて前記設定される上りリンクグラントが発生されるとみなし、前記第１の上りリンクグラントに対応するＣＳＩリクエストフィールドがレポートをトリガするようにセットしている場合を除き、前記パラメータ（skipUplinkTxSPS）を設定してお
り、且つ、端末装置が送信に対してパディングＢＳＲのみが利用可能な状態である場合には、前記所定の条件を満たす最初のサブフレームにおける前記設定される上りリンクグラントに対応する第１の送信がスキップされるとみなし、前記パラメータ（skipUplinkTxSPS）が設定されており、レポートをトリガしないようにセットしたＣＳＩリクエストフィ
ールドが含まれる前記第１の上りリンクグラントを送信し、且つ、前記端末装置が送信に対してパディングＢＳＲのみが利用可能な状態でない場合には、前記所定の条件を満たす最初のサブフレームにおける前記設定される上りリンクグラントに対応する第２の送信を受信し、前記パラメータ（skipUplinkTxSPS）を設定しているかどうか、および、前記端
末装置が送信に対してパディングＢＳＲのみが利用可能な状態であるかどうかに関わらず、レポートをトリガするようにセットしたＣＳＩリクエストフィールドが含まれる前記第１の上りリンクグラントを送信した場合には、前記所定の条件を満たす最初のサブフレームにおける前記設定される上りリンクグラントに対応する第３の送信を受信する。
【００１１】
（５）また、本発明の一様態における端末装置に搭載される集積回路は、パラメータ（skipUplinkTxSPS）が含まれるＲＲＣメッセージを受信し、セミパーシステントスケジュ
ーリングの活性化を指示するために用いられる第１の上りリンクグラントを受信する機能と、前記第１の上りリンクグラントを、設定される上りリンクグラントとしてストアし、所定の条件を満たすサブフレームにおいて前記設定される上りリンクグラントが発生されるとみなし、前記第１の上りリンクグラントに対応するＣＳＩリクエストフィールドがレポートをトリガするようにセットされている場合を除き、前記パラメータ（skipUplinkTxSPS）が設定されており、且つ、送信に対してパディングＢＳＲのみが利用可能な状態で
ある場合には、前記所定の条件を満たす最初のサブフレームにおける前記設定される上りリンクグラントに対応する第１の送信をスキップし、前記パラメータ（skipUplinkTxSPS
）が設定されており、レポートをトリガしないようにセットされたＣＳＩリクエストフィールドが含まれる前記第１の上りリンクグラントを受信し、且つ、送信に対してパディングＢＳＲのみが利用可能な状態でない場合には、前記所定の条件を満たす最初のサブフレームにおける前記設定される上りリンクグラントに対応する第２の送信を実行し、前記パラメータ（skipUplinkTxSPS）が設定されているかどうか、および、送信に対してパディ
ングＢＳＲのみが利用可能な状態であるかどうかに関わらず、レポートをトリガするようにセットされたＣＳＩリクエストフィールドが含まれる前記第１の上りリンクグラントを受信した場合には、前記所定の条件を満たす最初のサブフレームにおける前記設定される上りリンクグラントに対応する第３の送信を実行する機能と、を端末装置に発揮させる。
【００１２】
（６）また、本発明の一様態における基地局装置に搭載される集積回路は、パラメータ（skipUplinkTxSPS）が含まれるＲＲＣメッセージを送信し、セミパーシステントスケジ
ューリングの活性化を指示するために用いられる第１の上りリンクグラントを送信する機能と、前記第１の上りリンクグラントを、設定される上りリンクグラントとしてストアし、所定の条件を満たすサブフレームにおいて前記設定される上りリンクグラントが発生されるとみなし、前記第１の上りリンクグラントに対応するＣＳＩリクエストフィールドがレポートをトリガするようにセットしている場合を除き、前記パラメータ（skipUplinkTxSPS）を設定しており、且つ、端末装置が送信に対してパディングＢＳＲのみが利用可能
な状態である場合には、前記所定の条件を満たす最初のサブフレームにおける前記設定される上りリンクグラントに対応する第１の送信がスキップされるとみなし、前記パラメー
タ（skipUplinkTxSPS）が設定されており、レポートをトリガしないようにセットしたＣ
ＳＩリクエストフィールドが含まれる前記第１の上りリンクグラントを送信し、且つ、前記端末装置が送信に対してパディングＢＳＲのみが利用可能な状態でない場合には、前記所定の条件を満たす最初のサブフレームにおける前記設定される上りリンクグラントに対応する第２の送信を受信し、前記パラメータ（skipUplinkTxSPS）を設定しているかどう
か、および、前記端末装置が送信に対してパディングＢＳＲのみが利用可能な状態であるかどうかに関わらず、レポートをトリガするようにセットしたＣＳＩリクエストフィールドが含まれる前記第１の上りリンクグラントを送信した場合には、前記所定の条件を満たす最初のサブフレームにおける前記設定される上りリンクグラントに対応する第３の送信を受信する機能と、を基地局装置に発揮させる。
【発明の効果】
【００１３】
この発明によれば、上りリンクにおける送信を効率的に実行することができる。
【図面の簡単な説明】
【００１４】
【図１】本実施形態における無線通信システムの概念を示す図である。
【図２】本実施形態におけるスロットの構成を示す図である。
【図３】本実施形態におけるセミパーシステントスケジューリングに関わるスペシャルフィールドの例を示す図である。
【図４】本実施形態におけるノンエンプティ送信およびエンプティ送信の例を説明するための図である。
【図５】本実施形態における上りリンクにおける送信の方法の例を示す図である。
【図６】本実施形態における上りリンクにおける送信の方法の例を示す別の図である。
【図７】本実施形態における上りリンクにおける送信の方法の例を示す別の図である。
【図８】本実施形態における上りリンクにおける送信の方法の例を示す図である。
【図９】本実施形態における上りリンクにおける送信の方法の例を示す別の図である。
【図１０】本実施形態における上りリンクにおける送信の方法の例を示す別の図である。
【図１１】本実施形態における端末装置１の構成を示す概略ブロック図である。
【図１２】本実施形態における基地局装置３の構成を示す概略ブロック図である。
【発明を実施するための形態】
【００１５】
以下、本発明の実施形態について説明する。
【００１６】
図１は、本実施形態における無線通信システムの概念図である。図１において、無線通信システムは、端末装置１Ａ〜１Ｃ、および基地局装置３を具備する。以下、端末装置１Ａ〜１Ｃを端末装置１とも称する。
【００１７】
本実施形態における物理チャネルおよび物理信号について説明する。
【００１８】
図１において、端末装置１から基地局装置３への上りリンクの無線通信では、以下の上りリンク物理チャネルが用いられる。ここで、上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００１９】
ＰＵＣＣＨは、上りリンク制御情報（Uplink Control Information: UCI）を送信する
ために用いられる。ここで、上りリンク制御情報には、下りリンクのチャネルの状態を示すために用いられるチャネル状態情報（CSI: Channel State Information）が含まれてもよい。また、上りリンク制御情報には、ＵＬ−ＳＣＨリソースを要求するために用いられるスケジューリング要求（SR: Scheduling Request）が含まれてもよい。また、上りリンク制御情報には、ＨＡＲＱ−ＡＣＫ（Hybrid Automatic Repeat request ACKnowledgement）が含まれてもよい。
【００２０】
ここで、ＨＡＲＱ−ＡＣＫは、下りリンクデータ（Transport block, Medium Access Control Protocol Data Unit: MAC PDU, Downlink-Shared Channel: DL-SCH, Physical Downlink Shared Channel: PDSCH）に対するＨＡＲＱ−ＡＣＫを示してもよい。すなわち、ＨＡＲＱ−ＡＣＫは、ＡＣＫ（acknowledgement）またはＮＡＣＫ（negative-acknowledgement）を示してもよい。また、ＨＡＲＱ−ＡＣＫを、ＡＣＫ／ＮＡＣＫ、ＨＡＲＱフィ
ードバック、ＨＡＲＱ応答、ＨＡＲＱ情報、または、ＨＡＲＱ制御情報とも称する。
【００２１】
ＰＵＳＣＨは、上りリンクデータ（Uplink-Shared Channel: UL-SCH, UL-SCH data）を送信するために用いられる。また、ＰＵＳＣＨは、上りリンクデータと共にＨＡＲＱ−ＡＣＫおよび／またはＣＳＩを送信するために用いられてもよい。また、ＰＵＳＣＨは、ＣＳＩのみ、または、ＨＡＲＱ−ＡＣＫおよびＣＳＩのみを送信するために用いられてもよい。すなわち、ＰＵＳＣＨは、上りリンク制御情報のみを送信するために用いられてもよい。
【００２２】
ここで、基地局装置３と端末装置１は、上位層（higher layer）において信号をやり取り（送受信）する。例えば、基地局装置３と端末装置１は、無線リソース制御（RRC: Radio Resource Control）層において、ＲＲＣシグナリング（RRC message: Radio Resource
Control message、RRC information: Radio Resource Control informationとも称され
る）を送受信してもよい。また、基地局装置３と端末装置１は、ＭＡＣ（Medium Access Control）層において、ＭＡＣコントロールエレメントを送受信してもよい。ここで、Ｒ
ＲＣシグナリング、および／または、ＭＡＣコントロールエレメントを、上位層の信号（higher layer signaling）とも称する。
【００２３】
ＰＵＳＣＨは、ＲＲＣシグナリング、および、ＭＡＣコントロールエレメントを送信するために用いられてもよい。ここで、基地局装置３から送信されるＲＲＣシグナリングは、セル内における複数の端末装置１に対して共通のシグナリングであってもよい。また、基地局装置３から送信されるＲＲＣシグナリングは、ある端末装置１に対して専用のシグナリング（dedicated signalingとも称する）であってもよい。すなわち、ユーザー装置
スペシフィック（ユーザー装置固有）な情報は、ある端末装置１に対して専用のシグナリングを用いて送信されてもよい。
【００２４】
ＰＲＡＣＨは、ランダムアクセスプリアンブルを送信するために用いられる。ＰＲＡＣＨは、初期コネクション確立（initial connection establishment）プロシージャ、ハンドオーバプロシージャ、コネクション再確立（connection re-establishment）プロシー
ジャ、上りリンク送信に対する同期（タイミング調整）、およびＰＵＳＣＨリソースの要求を示すために用いられてもよい。
【００２５】
図１において、上りリンクの無線通信では、以下の上りリンク物理信号が用いられる。ここで、上りリンク物理信号は、上位層から出力された情報を送信するために使用されないが、物理層によって使用される。
・上りリンク参照信号（Uplink Reference Signal: UL RS）
【００２６】
本実施形態において、以下の２つのタイプの上りリンク参照信号が用いられる。
・ＤＭＲＳ（Demodulation Reference Signal）
・ＳＲＳ（Sounding Reference Signal）
【００２７】
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００２８】
ＳＲＳは、ＰＵＳＣＨまたはＰＵＣＣＨの送信に関連しない。基地局装置３は、上りリンクのチャネル状態を測定するためにＳＲＳを使用する。
【００２９】
図１において、基地局装置３から端末装置１への下りリンクの無線通信では、以下の下りリンク物理チャネルが用いられる。ここで、下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
【００３０】
ＰＢＣＨは、端末装置１で共通に用いられるマスターインフォメーションブロック（Master Information Block: MIB, Broadcast Channel: BCH）を報知するために用いられる
。
【００３１】
ＰＣＦＩＣＨは、ＰＤＣＣＨの送信に用いられる領域（ＯＦＤＭシンボル）を指示する情報を送信するために用いられる。
【００３２】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。
【００３３】
ＰＤＣＣＨおよびＥＰＤＣＣＨは、下りリンク制御情報（Downlink Control Information: DCI）を送信するために用いられる。ここで、下りリンク制御情報の送信に対して、
複数のＤＣＩフォーマットが定義される。すなわち、下りリンク制御情報に対するフィールドがＤＣＩフォーマットに定義され、情報ビットへマップされる。
【００３４】
例えば、下りリンクに対するＤＣＩフォーマットとして、１つのセルにおける１つのＰＤＳＣＨ（１つの下りリンクトランスポートブロックの送信）のスケジューリングのために用いられるＤＣＩフォーマット（例えば、ＤＣＩフォーマット１、ＤＣＩフォーマット１Ａ、および／または、ＤＣＩフォーマット１Ｃ）が定義されてもよい。
【００３５】
ここで、下りリンクに対するＤＣＩフォーマットには、ＰＤＳＣＨのスケジューリングに関する情報が含まれる。例えば、下りリンクに対するＤＣＩフォーマットには、キャリアインディケータフィールド（CIF: Carrier Indicator Field）、ＨＡＲＱプロセス番号に関する情報（HARQ process number）、ＭＣＳに関する情報（Modulation and Coding S
cheme）、リダンダンシーバージョンに関する情報（Redundancy version）、および／ま
たは、リソースブロック割り当てに関する情報（Resource block assignment）などの下
りリンク制御情報が含まれる。ここで、下りリンクに対するＤＣＩフォーマットを、下りリンクグラント（downlink grant）、および／または、下りリンクアサインメント（downlink assignment）とも称する。
【００３６】
また、例えば、上りリンクに対するＤＣＩフォーマットとして、１つのセルにおける１つのＰＵＳＣＨ（１つの上りリンクトランスポートブロックの送信）のスケジューリングのために用いられるＤＣＩフォーマット（例えば、ＤＣＩフォーマット０、ＤＣＩフォーマット４）が定義される。
【００３７】
ここで、上りリンクに対するＤＣＩフォーマットには、ＰＵＳＣＨのスケジューリングに関する情報が含まれる。例えば、上りリンクに対するＤＣＩフォーマットには、キャリアインディケータフィールド（CIF: Carrier Indicator Field）、スケジュールされたＰＵＳＣＨに対する送信電力コマンド（ＴＰＣコマンド）に関する情報（TPC command for scheduled PUSCH）、ＤＭＲＳに対するサイクリックシフトに関する情報（Cyclic shift DMRS）、ＭＣＳおよび／またはリダンダンシーバージョンに関する情報（Modulation and
coding scheme and/or redundancy version）、および／または、リソースブロック割り当ておよび／またはホッピングリソース割り当てに関する情報（Resource block assignment and/or hopping resource allocation）、ＣＳＩリクエストフィールドなどの下りリンク制御情報が含まれる。ここで、上りリンクに対するＤＣＩフォーマットを、上りリンクグラント（uplink grant）、および／または、上りリンクアサインメント（Uplink assignment）とも称する。
【００３８】
ここで、ＣＳＩリクエストフィールドは、ＣＳＩの送信をリクエストするために用いられる情報（CSI request）へマップされるフィールドであってもよい。すなわち、ＣＳＩ
リクエストフィールドは、ＣＳＩの送信をリクエスト（指示）するために用いられてもよい。
【００３９】
例えば、基地局装置３は、ＣＳＩリクエストフィールドを用いてレポートをトリガするようにセットすることによって、ＰＵＳＣＨを用いたＣＳＩの送信（aperiodic CSI reportとも称される）をトリガしてもよい。また、端末装置１は、ＣＳＩリクエストフィールドを用いてレポートをトリガするようにセットされている場合には、アピリオディックＣＳＩレポーティングを実行してもよい。
【００４０】
例えば、基地局装置３は、‘１’にセットされたＣＳＩリクエストフィールド（１ビットのＣＳＩリクエストフィールド）を用いることによって、レポートをトリガするようにセットしてもよい。また、基地局装置３は、‘０１’、‘１０’、または、‘１１’にセットされたＣＳＩリクエストフィールド（２ビットのＣＳＩリクエストフィールド）を用いることによって、レポートをトリガするようにセットしてもよい。同様に、基地局装置３は、３ビットのＣＳＩリクエストフィールドを用いて、レポートをトリガするようにセットしてもよい。
【００４１】
端末装置１は、サブフレームｎにおける、あるサービングセルに対する上りリンクグラント（例えば、第１のＵＬグラント）のデコードに基づいて、ＣＳＩリクエストフィールドを用いてレポートをトリガするようにセットされている場合には、サブフレームｎ＋ｋ（例えば、ｋは正の整数、４でもよい）における、該あるサービングセルにおいて、ＰＵＳＣＨを用いてアピリオディックＣＳＩレポーティングを実行してもよい。
【００４２】
端末装置１は、下りリンクアサインメントを用いてＰＤＳＣＨのリソースがスケジュー
ルされた場合、スケジュールされたＰＤＳＣＨで下りリンクデータを受信してもよい。また、端末装置１は、上りリンクグラントを用いてＰＵＳＣＨのリソースがスケジュールされた場合、スケジュールされたＰＵＳＣＨで上りリンクデータおよび／または上りリンク制御情報を送信してもよい。
【００４３】
ここで、端末装置１は、ＰＤＣＣＨ候補（PDCCH candidates）および／またはＥＰＤＣＣＨ候補（EPDCCH candidates）のセットをモニタしてもよい。以下、ＰＤＣＣＨは、Ｐ
ＤＣＣＨおよび／またはＥＰＤＤＣＨを示してもよい。ここで、ＰＤＣＣＨ候補とは、基地局装置３によって、ＰＤＣＣＨが、配置および／または送信される可能性のある候補を示している。また、モニタとは、モニタされる全てのＤＣＩフォーマットに応じて、ＰＤＣＣＨ候補のセット内のＰＤＣＣＨのそれぞれに対して、端末装置１がデコードを試みるという意味が含まれてもよい。
【００４４】
また、端末装置１が、モニタするＰＤＣＣＨ候補のセットは、サーチスペースとも称される。サーチスペースには、コモンサーチスペース（CSS: Common Search Space）が含まれてもよい。例えば、ＣＳＳは、複数の端末装置１に対して共通なスペースとして定義されてもよい。また、サーチスペースには、ユーザー装置スペシフィックサーチスペース（USS: UE-specific Search Space）が含まれてもよい。例えば、ＵＳＳは、少なくとも、
端末装置１に対して割り当てられるＣ−ＲＮＴＩに基づいて定義されてもよい。端末装置１は、ＣＳＳおよび／またはＵＳＳにおいて、ＰＤＣＣＨをモニタし、自装置宛てのＰＤＣＣＨを検出してもよい。
【００４５】
ここで、下りリンク制御情報の送信（ＰＤＣＣＨでの送信）には、基地局装置３が、端末装置１に割り当てたＲＮＴＩが利用される。具体的には、ＤＣＩフォーマット（下りリンク制御情報でもよい）にＣＲＣ（Cyclic Redundancy check: 巡回冗長検査）パリティ
ビットが付加され、付加された後に、ＣＲＣパリティビットがＲＮＴＩによってスクランブルされる。ここで、ＤＣＩフォーマットに付加されるＣＲＣパリティビットは、ＤＣＩフォーマットのペイロードから得られてもよい。
【００４６】
端末装置１は、ＲＮＴＩによってスクランブルされたＣＲＣパリティビットが付加されたＤＣＩフォーマットに対してデコードを試み、ＣＲＣが成功したＤＣＩフォーマットを、自装置宛のＤＣＩフォーマットとして検出する（ブラインドデコーディングとも称される）。すなわち、端末装置１は、ＲＮＴＩによってスクランブルされたＣＲＣを伴うＰＤＣＣＨを検出してもよい。また、端末装置１は、ＲＮＴＩによってスクランブルされたＣＲＣパリティビットが付加されたＤＣＩフォーマットを伴うＰＤＣＣＨを検出してもよい。
【００４７】
ここで、ＲＮＴＩには、Ｃ−ＲＮＴＩ（Cell-Radio Network Temporary Identifier）
が含まれてもよい。Ｃ−ＲＮＴＩは、ＲＲＣ接続およびスケジューリングの識別に対して使用される、端末装置１に対するユニークな（一意的な）識別子である。また、Ｃ−ＲＮＴＩは、動的（dynamically）にスケジュールされるユニキャスト送信のために利用され
てもよい。
【００４８】
また、ＲＮＴＩには、ＳＰＳ  Ｃ−ＲＮＴＩ（Semi-Persistent Scheduling C-RNTI）
が含まれてもよい。ＳＰＳ  Ｃ−ＲＮＴＩは、セミパーシステントスケジューリング（Semi-Persistent Scheduling: SPS）に対して使用される、端末装置１に対するユニークな
（一意的な）識別子である。また、ＳＰＳ  Ｃ−ＲＮＴＩは、半持続的（semi-persistently）にスケジュールされるユニキャスト送信のために利用されてもよい。
【００４９】
ここで、半持続的にスケジュールされる送信とは、周期的（periodically）にスケジュ
ールされる送信の意味が含まれる。例えば、ＳＰＳ  Ｃ−ＲＮＴＩは、半持続的にスケジュールされる送信の活性化（activation）、再活性化（reactivation）、および／または、再送信（retransmission）のために利用されてもよい。以下、活性化には、再活性化、および／または、再送信の意味が含まれてもよい。
【００５０】
また、ＳＰＳ  Ｃ−ＲＮＴＩは、半持続的にスケジュールされた送信のリリース（release）および／または非活性化（deactivation）のために利用されてもよい。以下、リリ
ースには、非活性化の意味が含まれてもよい。ここで、待ち時間の縮小のために、新たに、ＲＮＴＩが規定されてもよい。例えば、本実施形態におけるＳＰＳ  Ｃ−ＲＮＴＩは、待ち時間の縮小のために新たに規定されるＲＮＴＩが含まれてもよい。
【００５１】
ＰＤＳＣＨは、下りリンクデータ（Downlink Shared Channel: DL-SCH）を送信するた
めに用いられる。また、ＰＤＳＣＨは、システムインフォメーションメッセージを送信するために用いられる。ここで、システムインフォメーションブメッセージは、セルスペシフィック（セル固有）な情報であってもよい。また、システムインフォメーションは、ＲＲＣシグナリングに含まれる。また、ＰＤＳＣＨは、ＲＲＣシグナリング、および、ＭＡＣコントロールエレメントを送信するために用いられる。
【００５２】
ＰＭＣＨは、マルチキャストデータ（Multicast Channel: MCH）を送信するために用いられる。
【００５３】
図１において、下りリンクの無線通信では、以下の下りリンク物理信号が用いられる。ここで、下りリンク物理信号は、上位層から出力された情報を送信するために使用されないが、物理層によって使用される。
・同期信号（Synchronization signal: SS）
・下りリンク参照信号（Downlink Reference Signal: DL RS）
【００５４】
同期信号は、端末装置１が下りリンクの周波数領域および時間領域の同期をとるために用いられる。ＴＤＤ方式において、同期信号は無線フレーム内のサブフレーム０、１、５、６に配置される。ＦＤＤ方式において、同期信号は無線フレーム内のサブフレーム０と５に配置される。
【００５５】
下りリンク参照信号は、端末装置１が下りリンク物理チャネルの伝搬路補正を行なうために用いられる。ここで、下りリンク参照信号は、端末装置１が下りリンクのチャネル状態情報を算出するために用いられる。
【００５６】
本実施形態において、以下の５つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
・ＰＲＳ（Positioning Reference Signal）
【００５７】
ここで、下りリンク物理チャネルおよび下りリンク物理信号を総称して、下りリンク信号と称する。また、上りリンク物理チャネルおよび上りリンク物理信号を総称して、上りリンク信号と称する。下りリンク物理チャネルおよび上りリンク物理チャネルを総称して
、物理チャネルと称する。下りリンク物理信号および上りリンク物理信号を総称して、物理信号と称する。
【００５８】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックは
コードワードにマップされ、コードワード毎に符号化処理が行なわれる。
【００５９】
以下、キャリアアグリゲーションについて説明する。
【００６０】
本実施形態において、端末装置１に対して、１つまたは複数のサービングセルが設定されてもよい。端末装置１が複数のサービングセルを介して通信する技術をセルアグリゲーション、または、キャリアアグリゲーションと称する。
【００６１】
ここで、端末装置１に対して設定される１つまたは複数のサービングセルのそれぞれにおいて、本実施形態が適用されてもよい。また、端末装置１に対して設定される１つまたは複数のサービングセルの一部において、本実施形態が適用されてもよい。また、端末装置１に対して設定される１つまたは複数のサービングセルのグループのそれぞれにおいて、本実施形態が適用されてもよい。
【００６２】
また、本実施形態において、ＴＤＤ（Time Division Duplex）および／またはＦＤＤ（Frequency Division Duplex）が適用されてもよい。ここで、キャリアアグリゲーション
の場合において、１つまたは複数のサービングセルの全てに対してＴＤＤまたはＦＤＤが適用されてもよい。また、キャリアアグリゲーションの場合において、ＴＤＤが適用されるサービングセルとＦＤＤが適用されるサービングセルが集約されてもよい。ここで、ＦＤＤに対応するフレーム構造を、フレーム構造タイプ１（Frame structure type 1）とも称する。また、ＴＤＤに対応するフレーム構造を、フレーム構造タイプ２（Frame structure type 2）とも称する。
【００６３】
ここで、設定される１つまたは複数のサービングセルには、１つのプライマリーセルと、１つまたは複数のセカンダリーセルとが含まれてもよい。例えば、プライマリーセルは、初期コネクション確立（initial connection establishment）プロシージャが行なわれたサービングセル、コネクション再確立（connection re-establishment）プロシージャ
を開始したサービングセル、または、ハンドオーバプロシージャにおいてプライマリーセルと指示されたセルであってもよい。ここで、ＲＲＣコネクションが確立された時点、または、後に、セカンダリーセルが設定されてもよい。
【００６４】
ここで、下りリンクにおいて、サービングセルに対応するキャリアを、下りリンクコンポーネントキャリアと称する。また、上りリンクにおいて、サービングセルに対応するキャリアを、上りリンクコンポーネントキャリアと称する。また、下りリンクコンポーネントキャリア、および、上りリンクコンポーネントキャリアを総称して、コンポーネントキャリアと称する。
【００６５】
また、端末装置１は、１つまたは複数のサービングセル（コンポーネントキャリア）において、同時に複数の物理チャネルでの送信、および／または受信を行ってもよい。ここで、１つの物理チャネルは、複数のサービングセル（コンポーネントキャリア）のうち１
つのサービングセル（コンポーネントキャリア）において送信されてもよい。
【００６６】
以下、本実施形態におけるスロットの構成について説明する。
【００６７】
図２は、本実施形態におけるスロットの構成を示す図である。図２において、横軸は時間軸を示しており、縦軸は周波数軸を示している。ここで、ＯＦＤＭシンボルに対してノーマルＣＰ（normal Cyclic Prefix）が適用されてもよい。また、ＯＦＤＭシンボルに対して拡張ＣＰ（extended Cyclic Prefix）が適用されてもよい。また、スロットのそれぞれにおいて送信される物理信号または物理チャネルは、リソースグリッドによって表現される。
【００６８】
例えば、時間領域における種々のフィールドのサイズは、時間ユニットTs=1/(15000・2048)秒の数によって表現されてもよい。また、無線フレームの長さは、Tf=307200・Ts=10msであってもよい。ここで、それぞれの無線フレームは、時間領域において連続する１０のサブフレームを含んでもよい。また、それぞれのサブフレームの長さは、Tsubframe=30720・Ts=1msであってもよい。また、それぞれのサブフレームｉは、時間領域において連
続する２つのスロットを含んでもよい。
【００６９】
また、時間領域において連続する２つのスロットは、無線フレーム内のスロット番号nsが２ｉのスロット、および、無線フレーム内のスロット番号nsが２ｉ＋１のスロットであってもよい。また、それぞれのスロットの長さは、Tslot=153600・ns=0.5msであってもよい。また、それぞれの無線フレームは、時間領域において連続する１０のサブフレームを含んでもよい。また、それぞれの無線フレームは、時間領域において連続する２０のスロット（ns=0,1,…,19）を含んでもよい。すなわち、無線フレーム、サブフレーム、および、スロットは、時間領域におけるフィールドであってもよい。ここで、時間領域におけるフィールドを、ＴＴＩ（Transmission Time Interval）とも称する。
【００７０】
ここで、下りリンクにおいて、リソースグリッドは、複数のサブキャリアと複数のＯＦＤＭシンボルによって定義されてもよい。また、上りリンクにおいて、リソースグリッドは、複数のサブキャリアと複数のＳＣ−ＦＤＭＡシンボルによって定義されてもよい。また、１つのスロットを構成するサブキャリアの数は、セルの帯域幅に依存してもよい。１つのスロットを構成するＯＦＤＭシンボルまたはＳＣ−ＦＤＭＡシンボルの数は７であってもよい。ここで、リソースグリッド内のエレメントのそれぞれはリソースエレメントと称される。また、リソースエレメントは、サブキャリアの番号とＯＦＤＭシンボルまたはＳＣ−ＦＤＭＡシンボルの番号とを用いて識別されてもよい。
【００７１】
ここで、リソースブロックは、ある物理チャネル（ＰＤＳＣＨまたはＰＵＳＣＨなど）のリソースエレメントへのマッピングを表現するために用いられてもよい。また、リソースブロックは、仮想リソースブロックと物理リソースブロックが定義されてもよい。ある物理チャネルは、まず仮想リソースブロックにマップされてもよい。その後、仮想リソースブロックは、物理リソースブロックにマップされてもよい。１つの物理リソースブロックは、時間領域において７個の連続するＯＦＤＭシンボルまたはＳＣ−ＦＤＭＡシンボルと、周波数領域において１２個の連続するサブキャリアとから定義されてもよい。したがって、１つの物理リソースブロックは（７×１２）個のリソースエレメントから構成されてもよい。また、１つの物理リソースブロックは、時間領域において１つのスロットに対応し、周波数領域において１８０ｋＨｚに対応してもよい。また、物理リソースブロックは、周波数領域において０から番号が付けられてもよい。
【００７２】
ここで、本実施形態では、端末装置１における処理を説明するために、端末装置１におけるＭＡＣエンティティ、端末装置１における”Ｍｕｌｔｉｐｌｅｘｉｎｇ  ａｎｄ  ａ
ｓｓｅｍｂｌｙ”エンティティ（以下、第１のエンティティとも称する）、および／または、端末装置１におけるＨＡＲＱエンティティにおける処理を記載している。すなわち、本実施形態においては端末装置１におけるＭＡＣエンティティ、端末装置１における第１のエンティティ、および／または、端末装置１におけるＨＡＲＱエンティティにおける処理を記載しているが、本実施形態における処理は、端末装置１における処理であることは勿論である。
【００７３】
また、本実施形態では、基本的には、端末装置１における動作（処理）を記載するが、端末装置１の動作（処理）に対応して、基地局装置３が同様の動作（処理）を行なうことは勿論である。
【００７４】
ここで、ＰＵＳＣＨでの送信（ＵＬ−ＳＣＨでの送信でもよい）は、ＳＦＮ（System Fame Number）およびサブフレームに基づいたタイミングで行われる。すなわち、ＰＵＳＣＨでの送信を行うタイミングを特定するためには、ＳＦＮおよび該ＳＦＮが対応する無線フレームにおけるサブフレームの番号／インデックスが必要である。ここで、ＳＦＮは、無線フレームの番号／インデックスである。
【００７５】
以下、説明の簡略化のために、ＰＵＳＣＨでの送信が行われるＳＦＮ（無線フレーム）およびサブフレームを、単に、サブフレームとも記載する。すなわち、以下の記載におけるサブフレームは、ＳＦＮ（無線フレーム）およびサブフレームの意味を含んでもよい。
【００７６】
ここで、基地局装置３は、上りリンクにおけるセミパーシステントスケジューリングのインターバル（周期）を、端末装置１に対して設定してもよい。例えば、基地局装置３は、上りリンクにおけるセミパーシステントスケジューリングのインターバルの値を指示するための第１のパラメータを、上位層の信号（ＲＲＣメッセージ）に含めて端末装置１に送信してもよい。
【００７７】
例えば、基地局装置３は、第１のパラメータを用いて、セミパーシステントスケジューリングのインターバルの値として、１（１サブフレーム）、１０（１０サブフレーム）、２０（２０サブフレーム）、３２（３２サブフレーム）、４０（４０サブフレーム）、６４（６４サブフレーム）、８０（８０サブフレーム）、１２８（１２８サブフレーム）、１６０（１６０サブフレーム）、３２０（３２０サブフレーム）、および／または、６４０（６４０サブフレーム）を設定してもよい。すなわち、基地局装置３は、第１のパラメータを用いて、セミパーシステントスケジューリングのインターバルの値として、１（１サブフレーム）を設定してもよい。
【００７８】
例えば、第１のパラメータは、サービングセル（プライマリーセル、および／または、セカンダリーセル）毎に設定されてもよい。また、第１のパラメータは、プライマリーセルに対して設定されてもよい。また、セミパーシステントスケジューリングのインターバルの値“１（１サブフレーム）”は、サービングセル（プライマリーセル、および／または、セカンダリーセル）毎に対して設定されてもよい。
【００７９】
また、基地局装置３は、上りリンクに対するＤＣＩフォーマット（例えば、ＤＣＩフォーマット０）を用いて、端末装置１に対してセミパーシステント（半永続的、半持続的、周期的）なＰＵＳＣＨのリソース（物理リソースブロック）を割り当て、且つ、セミパーシステントなＰＵＳＣＨでの送信を活性化することを端末装置１に対して指示してもよい。また、基地局装置３は、上りリンクに対するＤＣＩフォーマットを用いて、セミパーシステントなＰＵＳＣＨのリソースをリリースすることを端末装置１に対して指示してもよい。ここで、上述したように、上りリンクに対するＤＣＩフォーマットには、ＣＳＩリクエストフィールドが含まれてもよい。
【００８０】
例えば、端末装置１は、ＤＣＩフォーマットに付加されたＣＲＣパリティビットがＳＰＳ  Ｃ−ＲＮＴＩによってスクランブルされており、且つ、該ＤＣＩフォーマットに含まれる新データインディケータに関する情報のフィールドが‘０’にセットされている場合には、該ＤＣＩフォーマットに含まれる複数の情報のフィールドが特定の値にセットされているかを検証（確認、チェック）してもよい。すなわち、ＳＰＳ  Ｃ−ＲＮＴＩによってスクランブルされたＤＣＩフォーマットに付加されたＣＲＣパリティビット、および、新データインディケータに関する情報のフィールドが、セミパーシステントスケジューリングに対するバリデーション（validation）のために用いられてもよい。
【００８１】
ここで、もし検証に成功した場合は、端末装置１は、受信したＤＣＩフォーマットが、有効（valid）なセミパーシステントアクティベーション、または、有効なセミパーシス
テントリリースを指示しているとみなしてもよい（認識してもよい）。また、もし検証に成功しなかった場合は、端末装置１は、このＤＣＩフォーマットを破棄（クリア）してもよい。
【００８２】
ここで、セミパーシステントアクティベーションとは、セミパーシステントスケジューリングのアクティベーションの意味が含まれてもよい。また、セミパーシステントアクティベーションとは、ＰＵＳＣＨのリソースのセミパーシステントな割り当ての意味が含まれてもよい。また、セミパーシステントリリースとは、セミパーシステントスケジューリングのリリースの意味が含まれてもよい。
【００８３】
すなわち、ＤＣＩフォーマットは、セミパーシステントな上りリンクのスケジューリングのアクティベーションを指示するために用いられてもよい。また、ＤＣＩフォーマットは、セミパーシステントスケジューリングのアクティベーションを有効にするために用いられてもよい。また、ＤＣＩフォーマットは、セミパーシステントリリースを指示するために用いられてもよい。
【００８４】
図３は、セミパーシステントスケジューリングに関わるスペシャルフィールド（Special fields）の例を示す図である。図３（ａ）は、セミパーシステントスケジューリングの活性化（activation）のためのスペシャルフィールドの例を示している。また、図３（ｂ）は、セミパーシステントスケジューリングのリリース（release）のためのスペシャル
フィールドの例を示している。以下、図３（ａ）において示されるスペシャルフィールドが含まれるＤＣＩを、第１のＤＣＩとも記載する。また、図３（ｂ）において示されるスペシャルフィールドが含まれるＤＣＩを、第２のＤＣＩとも記載する。
【００８５】
すなわち、第１のＤＣＩは、セミパーシステントスケジューリングの活性化を指示するために用いられるＤＣＩであってもよい。ここで、第１のＤＣＩは、セミパーシステントスケジューリングの活性化および／または再活性化を指示するために用いられるＤＣＩであってもよい。また、第２のＤＣＩは、セミパーシステントスケジューリングの活性化を指示するために用いられるＤＣＩであってもよい。
【００８６】
すなわち、セミパーシステントスケジューリングの活性化、および／または、リリースのために（第１のＤＣＩ、および／または、第２のＤＣＩに）、複数のフィールドが規定されてもよい。また、セミパーシステントスケジューリングの活性化、および／または、リリースのために、複数のフィールドのそれぞれにセットされる所定の値（特定の値でもよい）が規定されてもよい。
【００８７】
例えば、上りリンクに対するＤＣＩフォーマット（例えば、ＤＣＩフォーマット０）がセミパーシステントスケジュールの活性化に用いられる場合には、上りリンクに対するＤ
ＣＩフォーマットに含まれる、スケジュールされたＰＵＳＣＨに対するＴＰＣコマンドに関する情報（TPC command for scheduled PUSCH）のフィールドが‘００’にセットされ
、ＤＭＲＳに対するサイクリックシフトに関する情報（Cyclic shift DMRS）のフィール
ドが‘０００’にセットされ、ＭＣＳおよびリダンダンシーバージョンに関する情報（Modulation and coding scheme and redundancy version）のフィールドの最上位のビット
（MSB: most significant bit）が‘０’にセットされてもよい。
【００８８】
また、上りリンクに対するＤＣＩフォーマット（例えば、ＤＣＩフォーマット０）がセミパーシステントスケジュールのリリースに用いられる場合には、上りリンクに対するＤＣＩフォーマットに含まれる、スケジュールされたＰＵＳＣＨに対するＴＰＣコマンドに関する情報（TPC command for scheduled PUSCH）のフィールドが‘００’にセットされ
、ＤＭＲＳに対するサイクリックシフトに関する情報（Cyclic shift DMRS）のフィール
ドが‘０００’にセットされ、ＭＣＳおよびリダンダンシーバージョンに関する情報（Modulation and coding scheme and redundancy version）のフィールドが‘１１１１１’
にセットされ、リソースブロック割り当ておよびホッピングリソース割り当てに関する情報（Resource block assignment and hopping resource allocation）のフィールド（複
数のフィールドの全てのフィールドでもよい）が‘１’セットされてもよい。
【００８９】
すなわち、端末装置１は、上りリンクに対するＤＣＩフォーマットに含まれる複数の情報のフィールドのそれぞれが、予め規定された特定の値にセットされている場合に、セミパーシステントスケジューリングを活性化してもよい。また、端末装置１は、ＤＣＩフォーマットに含まれる複数の情報のフィールドのそれぞれが、予め規定された特定の値にセットされている場合に、セミパーシステントスケジューリングをリリースしてもよい。
【００９０】
ここで、セミパーシステントスケジューリングの活性化、および／または、リリースのために用いられる、複数の情報のフィールド、および、該情報のフィールドがセットされる所定の値は、上述した例に限定されないことは勿論である。例えば、セミパーシステントスケジューリングの活性化、および／または、リリースのために用いられる、複数の情報のフィールド、および、該情報のフィールドがセットされる所定の値は、仕様などによって予め定義され、基地局装置３と端末装置１との間で既知の情報としておいてもよい。
【００９１】
すなわち、上りリンクに対するＤＣＩフォーマットがセミパーシステントスケジューリングのリリースに用いられる場合には、リソースブロック割り当て（リソース割り当て）に関連するフィールドには、リリースのために予め規定された値がセットされてもよい。
【００９２】
ここで、端末装置１は、ＵＬ−ＳＣＨでの送信（ＰＵＳＣＨを経由したＵＬ−ＳＣＨでの送信、ＰＵＳＣＨでのＵＬ−ＳＣＨの送信）を行なうために、有効な上りリンクグラント（a valid uplink grant）を持たなければならない。ここで、上りリンクグラントとは、あるサブフレームにおける上りリンクの送信がグラントされる（許可される、与えられる）ことの意味が含まれてもよい。
【００９３】
例えば、有効な上りリンクグラントは、ＰＤＣＣＨで動的に受信されてもよい。すなわち、有効な上りリンクグラントは、Ｃ−ＲＮＴＩによってスクランブルされたＣＲＣパリティビットが付加されたＤＣＩフォーマットを用いて指示されてもよい。また、有効な上りリンクグラントは、半永続的に設定されてもよい。すなわち、有効な上りリンクグラントは、ＳＰＳ  Ｃ−ＲＮＴＩによってスクランブルされたＣＲＣパリティビットが付加されたＤＣＩフォーマットを用いて指示されてもよい。
【００９４】
また、端末装置１は、ＰＤＣＣＨで動的に受信された上りリンクグラント、および／または、半永続的に設定された上りリンクグラントを、ストアしてもよい。ここで、ＨＡＲ
Ｑエンティティは、ＰＤＣＣＨで動的に受信された上りリンクグラント、および／または、半永続的に設定された上りリンクグラントを、ＨＡＲＱプロセスに渡し、ＨＡＲＱプロセスは、ＨＡＲＱエンティティから受信した上りリンクグラントをストアしてもよい。以下、ストアされる、ＰＤＣＣＨで動的に受信された上りリンクグラント、および／または、半永続的に設定された上りリンクグラントを、ストアされる上りリンクグラント（a stored uplink grant）と称する。
【００９５】
また、端末装置１（ＭＡＣエンティティ）は、セミパーシステントアクティベーションが指示された場合には、設定される上りリンクグラント（a configured uplink grant）
として、基地局装置３から受信したＤＣＩフォーマットをストアしてもよい。ここで、設定される上りリンクグラントは、設定されるセミパーシステントスケジューリングの上りリンクグラント（SPS UL grant）、設定されるグラントと称されてもよい。また、設定される上りリンクグラントは、設定された上りリンクグラント、設定されたセミパーシステントスケジューリングの上りリンクグラント（SPS UL grant）、設定されたグラントと称されてもよい。
【００９６】
ここで、ＭＡＣエンティティによってストアされる上りリンクグラント（SPS UL grant）がクリアされたことに基づいて、ＨＡＲＱプロセスによってストアされる上りリンクグラント（SPS UL grant）はクリアされなくてもよい。すなわち、ＭＡＣエンティティによってストアされる上りリンクグラント（SPS UL grant）がクリアされたとしても、ＨＡＲＱプロセスによってストアされる上りリンクグラント（SPS UL grant）に基づいて、セミパーシステントなＰＵＳＣＨに対する再送信を続行することは可能である。
【００９７】
また、セミパーシステントスケジューリングの上りリンクグラントは、ＳＰＳ上りリンクグラント、セミパーシステントグラント（Semi-persistent grant）、セミパーシステ
ントスケジューリングアサインメント（Semi-persistent scheduling assignment）とも
称されてもよい。
【００９８】
また、基地局装置３は、セミパーシステントスケジューリングの有効、および／または、無効を、端末装置１に対して設定してもよい。例えば、基地局装置３は、セミパーシステントスケジューリングの有効、および／または、無効を、上位層の信号（例えば、ＲＲＣ層の信号）を用いて設定してもよい。
【００９９】
また、例えば、端末装置１は、あるサブフレームにおいて、セミパーシステントなＰＵＳＣＨでの送信を開始（start）し、そして、数（１）に基づいて、該セミパーシステン
トなＰＵＳＣＨでの送信を繰り返す（recur）するために、設定される上りリンクグラン
トを、イニシャライズ、または、再イニシャライズしてもよい。すなわち、端末装置１は、数式（１）を満たすサブフレームにおいて、設定される上りリンクグラントが生じると、連続的にみなしてもよい。
【数１】
2019153824.tif 000003
【０１００】
すなわち、端末装置１は、ＳＰＳ上りリンクグラントを設定した後に、Ｓｕｂｆｒａｍｅ_Ｏｆｆｓｅｔ（サブフレームオフセット）の値をセットし、数（１）に基づいて特定
されるサブフレームにおいて、Ｎ番目のグラント（設定される上りリンクグラント、ＳＰＳ上りリンクグラント）が発生する（occur）とみなしてもよい（順次考慮してもよい（consider sequentially））。
【０１０１】
ここで、数（１）を満たすサブフレームを、所定の条件を満たすサブフレームとも称する。また、数（１）を満たすサブフレームのうち最初のサブフレームを除くサブフレームを、所定の条件を満たすサブフレームとも称する。ここで、数（１）を満たすサブフレームのうち最初のサブフレームは、第１のＤＣＩを受信するサブフレームであってもよい。
【０１０２】
すなわち、端末装置１は、ストアしたＤＣＩフォーマットをＳＰＳ上りリンクグラントとして設定した後に、数（１）に基づいて、Ｎ番目の設定される上りリンクグラントに対応するＰＵＳＣＨでの送信を行うサブフレームを特定してもよい。ここで、数（１）において、ＳＦＮおよびｓｕｂｆｒａｍｅは、それぞれ、ＰＵＳＣＨでの送信が行われるＳＦＮおよびサブフレームを示している。
【０１０３】
また、数（１）において、ＳＦＮｓｔａｒｔ_ｔｉｍｅおよびｓｕｂｆｒａｍｅｓｔａ
ｒｔ＿ｔｉｍｅは、それぞれ、設定される上りリンクグラントが、イニシャライズ、または、再イニシャライズされる時点でのＳＦＮおよびサブフレームを示している。すなわち、ＳＦＮｓｔａｒｔ_ｔｉｍｅおよびｓｕｂｆｒａｍｅｓｔａｒｔ＿ｔｉｍｅは、設定さ
れる上りリンクグラントに基づいて、ＰＵＳＣＨでの送信を開始するＳＦＮおよびサブフレーム（すなわち、０番目の設定される上りリンクグラントに対応するＰＵＳＣＨでの初期送信が行われるサブフレーム）を示している。
【０１０４】
また、数（１）において、ｓｅｍｉＰｅｒｓｉｓｔＳｃｈｅｄＩｎｔｅｒｖａｌＵＬは、上りリンクにおけるセミパーシステントスケジューリングのインターバルを示している。また、数（１）において、Ｓｕｂｆｒａｍｅ_Ｏｆｆｓｅｔ（サブフレームオフセット
）は、ＰＵＳＣＨでの送信が行なわれるサブフレームを特定するために用いられるオフセットの値を示している。
【０１０５】
ここで、端末装置１は、ＳＰＳ上りリンクグラントを設定した後に、もし、上位層によって、パラメータ（twoIntervalConfig）が有効とされていない場合には、数（１）にお
けるＳｕｂｆｒａｍｅ_Ｏｆｆｓｅｔを‘０’にセットしてもよい。
【０１０６】
また、イニシャライズは、セミパーシステントスケジューリングがアクティブされていない場合に行なわれてもよい。また、再イニシャライズは、セミパーシステントスケジューリングが既にアクティブされている場合に行なわれてもよい。ここで、イニシャライズは初期設定の意味を、再イニシャライズは再初期設定の意味を含んでもよい。すなわち、端末装置１は、設定される上りリンクグラントを、イニシャライズ、または、再イニシャライズすることによって、あるサブフレームにおいてＰＵＳＣＨでの送信を開始してもよい。
【０１０７】
図４は、ノンエンプティ送信（Non-empty transmission）およびエンプティ送信（Empty transmission）の例を説明するための図である。図４に示すように、ＭＡＣプロトコルデータユニット（MAC PDU: MAC Protocol Data Unit）は、ＭＡＣヘッダー（MAC header
）、ＭＡＣサービスデータユニット（MAC SDU: MAC Service Data Unit）、ＭＡＣコントロールエレメント（MAC CE: MAC Control Element）、および、パディング（パディング
ビット）から構成されてもよい。ここで、ＭＡＣプロトコルデータユニットは、上りリンクデータ（ＵＬ−ＳＣＨ）に対応してもよい。
【０１０８】
ここで、ＭＡＣコントロールエレメントとして、少なくとも、後述するＭＡＣコントロールエレメントを含む、複数のＭＡＣコントロールエレメントが規定されてもよい。例えば、ＭＡＣコントロールエレメントとして、バッファステータスレポートＭＡＣコントロールエレメント（BSR MAC CE: Buffer Status Report MAC CE、バッファステータスレポ
ートに用いられるＭＡＣコントロールエレメント）が規定されてもよい。また、ＭＡＣコ
ントロールエレメントとして、タイミングアドバンスコマンドＭＡＣコントロールエレメント（TAC MAC CE: Timing Advance Command MAC CE、タイミングアドバンスコマンドの
送信に用いられるＭＡＣコントロールエレメント）が規定されてもよい。
【０１０９】
また、ＭＡＣコントロールエレメントとして、パワーヘッドルームレポートＭＡＣコントロールエレメント（PHR MAC CE: Power Headroom Report MAC CE、パワーヘッドルームレポートに用いられるＭＡＣコントロールエレメント）が規定されてもよい。また、ＭＡＣコントロールエレメントとして、活性化／非活性化ＭＡＣコントロールエレメント（Activation/Deactivation MAC CE、活性化／非活性化コマンドの送信に用いられるＭＡＣコントロールエレメント）が規定されてもよい。
【０１１０】
また、バッファステータスレポートとして、少なくとも、レギュラーＢＳＲ、周期的ＢＳＲ、および、パディングＢＳＲを含む、複数のバッファステータスレポートが規定されてもよい。例えば、レギュラーＢＳＲ、周期的ＢＳＲ、および、パディングＢＳＲのそれぞれは、異なるイベント（条件）に基づいてトリガされてもよい。
【０１１１】
例えば、レギュラーＢＳＲは、ある倫理チャネルグループ（LCG: Logical Channel Group）に属する論理チャネルのデータが送信可能になり、且つ、その送信優先順位がいずれかのＬＣＧに属する既に送信可能な論理チャネルより高い場合か、いずれかのＬＣＧに属する論理チャネルにおいて送信可能なデータがない場合にトリガされてもよい。また、レギュラーＢＳＲは、所定のタイマー（retxBSR-Timer）が満了し、且つ、端末装置１があ
るＬＣＧに属する論理チャネルにおいて送信可能なデータを持つ場合にトリガされてもよい。
【０１１２】
また、周期的ＢＳＲは、所定のタイマー（periodicBSR-Timer）が満了した場合にトリ
ガされてもよい。また、パディングＢＳＲは、ＵＬ−ＳＣＨが割り当てられており、且つ、パディングビット数が、バッファステータスレポートＭＡＣコントロールエレメントとそのサブヘッダのサイズに等しいか、または、それより大きい場合にトリガされてもよい。
【０１１３】
端末装置１は、バッファステータスレポートを用いて、各ＬＣＧに対応した上りリンクデータの送信データバッファ量をＭＡＣ層におけるメッセージとして基地局装置３へ通知してもよい。
【０１１４】
図４に示すように、ＭＡＣプロトコルデータユニットは、ゼロ、１つ、または、複数のＭＡＣサービスデータユニットを含んでもよい。また、ＭＡＣプロトコルデータユニットは、ゼロ、１つ、または、複数のＭＡＣコントロールエレメントを含んでもよい。また、パディングは、ＭＡＣプロトコルデータユニットの最後に付加されてもよい（Padding may occur at the end of the MAC PDU）。
【０１１５】
ここで、ノンエンプティ送信は、少なくとも１つまたは複数のＭＡＣサービスデータユニットが含まれる、ＭＡＣプロトコルデータユニットの送信であってもよい（少なくとも１つまたは複数のＭＡＣサービスデータユニットが含まれる、ＭＡＣプロトコルデータユニットの送信に対応してもよい）。
【０１１６】
また、ノンエンプティ送信は、少なくとも１つまたは複数の第１のＭＡＣコントロールエレメントが含まれる、ＭＡＣプロトコルデータユニットの送信であってもよい（少なくとも１つまたは複数の第１のＭＡＣコントロールエレメントが含まれる、ＭＡＣプロトコルデータユニットの送信に対応してもよい）。ここで、第１のＭＡＣコントロールエレメント（第１の所定のＭＡＣコントロールエレメント）は、仕様書などによって事前に規定
され、基地局装置３と端末装置１の間において既知の情報であってもよい。
【０１１７】
例えば、第１のＭＡＣコントロールエレメントには、上述した複数のＭＡＣコントロールエレメントのうちの１つ、または、全てが含まれてもよい。例えば、第１のＭＡＣコントロールエレメントは、パワーヘッドルームレポートＭＡＣコントロールエレメントであってもよい。また、第１のＭＡＣコントロールエレメントは、レギュラーＢＳＲが含まれるバッファステータスレポートＭＡＣコントロールエレメントであってもよい。また、第１のＭＡＣコントロールエレメントは、周期的ＢＳＲが含まれるバッファステータスレポートＭＡＣコントロールエレメントであってもよい。
【０１１８】
すなわち、ノンエンプティ送信は、１つまたは複数のＭＡＣサービスデータユニット、および／または、１つまたは複数の第１のＭＡＣコントロールエレメントが含まれる、ＭＡＣプロトコルデータユニットの送信であってもよい（少なくとも、１つまたは複数のＭＡＣサービスデータユニット、および／または、１つまたは複数の第１のＭＡＣコントロールエレメントが含まれる、ＭＡＣプロトコルデータユニットの送信に対応してもよい）。
【０１１９】
また、エンプティ送信は、パディングのみが含まれるＭＡＣプロトコルデータユニットの送信であってもよい（パディングのみが含まれるＭＡＣプロトコルデータユニットの送信に対応してもよい）。ここで、パディングのみが含まれるＭＡＣプロトコルデータユニットの送信に対して、ＭＡＣヘッダーは付加されてもよい。
【０１２０】
ここで、エンプティ送信は、１つまたは複数の第２のＭＡＣコントロールエレメントが含まれる、ＭＡＣプロトコルデータユニットの送信であってもよい（少なくとも１つまたは複数の第２のＭＡＣコントロールエレメントが含まれる、ＭＡＣプロトコルデータユニットの送信に対応してもよい）。ここで、第２のＭＡＣコントロールエレメント（第２の所定のＭＡＣコントロールエレメント）は、仕様書などによって事前に規定され、基地局装置３と端末装置１の間において既知の情報であってもよい。
【０１２１】
ここで、第２のＭＡＣコントロールエレメントは、第１のＭＡＣコントロールエレメント以外のＭＡＣコントロールエレメントであってもよい。例えば、第２のＭＡＣコントロールエレメントには、上述した複数のＭＡＣコントロールエレメントのうちの１つ、または、全てが含まれてもよい。例えば、第２のＭＡＣコントロールエレメントは、パディングＢＳＲが含まれるバッファステータスレポートＭＡＣコントロールエレメントであってもよい。
【０１２２】
すなわち、エンプティ送信は、パディング、および／または、１つまたは複数の第２のＭＡＣコントロールエレメントのみが含まれる、ＭＡＣプロトコルデータユニットの送信であってもよい（パディングのみ、および／または、１つまたは複数の第２のＭＡＣコントロールエレメントが含まれる、ＭＡＣプロトコルデータユニットの送信に対応してもよい）。
【０１２３】
ここで、ノンエンプティ送信、および／または、エンプティ送信は、初期送信に対応する送信であってもよい。すなわち、初期送信において、少なくとも、１つまたは複数のＭＡＣサービスデータユニット、および／または、１つまたは複数の第１のＭＡＣコントロールエレメントが含まれる、ＭＡＣプロトコルデータユニットを送信することを、ノンエンプティ送信と称してもよい。また、初期送信において、パディングのみ、および／または、１つまたは複数の第２のＭＡＣコントロールエレメントが含まれる、ＭＡＣプロトコルデータユニットを送信することを、エンプティ送信と称してもよい。
【０１２４】
また、ノンエンプティ送信、および／または、エンプティ送信は、基地局装置３によってスケジュールされたＰＵＳＣＨで実行されてもよい。例えば、ノンエンプティ送信、および／または、エンプティ送信は、Ｃ−ＲＮＴＩによってスクランブルされたＣＲＣパリティビットが付加されたＤＣＩ（ＤＣＩフォーマット）を用いてスケジュールされたＰＵＳＣＨ（すなわち、動的にスケジュールされたＰＵＳＣＨのリソース）で実行されてもよい。また、ノンエンプティ送信、および／または、エンプティ送信は、ＳＰＳ  Ｃ−ＲＮＴＩによってスクランブルされたＣＲＣパリティビットが付加されたＤＣＩ（ＤＣＩフォーマット）を用いてスケジュールされたＰＵＳＣＨ（すなわち、半永続的にスケジュールされたＰＵＳＣＨのリソース）で実行されてもよい
【０１２５】
上述したとおり、端末装置１は、数（１）に基づいて特定されるサブフレームにおいてＰＵＳＣＨでの送信（ＵＬ−ＳＣＨでの送信）を半永続的（半持続的、周期的）に実行してもよい。ここで、端末装置１は、基地局装置３によって設定される第２のパラメータ（リリースする前のエンプティ送信の数（Number of empty transmissions before release）を指示するためのパラメータ）に基づいて、設定されるグラント（the configured grant）をクリア（clear）してもよい。
【０１２６】
例えば、端末装置１は、連続する、セミパーシステントなＰＵＳＣＨにおける、初期送信に対応するエンプティ送信の数が、第２のパラメータを用いて示された値（送信の数）に達した場合には、設定されるグラントをクリアしてもよい。
【０１２７】
すなわち、端末装置１は、それぞれにＭＡＣサービスデータユニットが含まれない（すなわち、ゼロのＭＡＣサービスデータユニットが含まれる）ＭＡＣプロトコルデータユニットであって、連続する、新しいＭＡＣプロトコルデータユニットの数に対応する第２のパラメータの後に、すぐに、設定されるグラントをクリアしてもよい（may clear the configured grant immediately after the third parameter number of consecutive new MAC PDUs each containing zero MAC SDUs）。ここで、該連続する、初期送信に対応する
エンプティ送信の数は、セミパーシステントスケジューリングのリソースでのエンプティ送信の数を含んでもよい。ここで、該連続する、初期送信に対応するエンプティ送信の数は、動的にスケジュールされたＰＵＳＣＨのリソースでのエンプティ送信の数を含まなくてもよい。
【０１２８】
ここで、端末装置１は、第２のパラメータに基づいて、基地局装置３によって割り当てられた上りリンクのリソース（セミパーシステントスケジューリングのリソース、ＰＵＳＣＨのリソース）をリリース（クリア）してもよい。すなわち、端末装置１は、設定されるグラントをクリアするのと同様に、第２のパラメータに基づいて、基地局装置３によって割り当てられた上りリンクのリソースをリリースしてもよい。ここで、端末装置１は、上述したセミパーシステントスケジューリングのリリースを指示するために用いられるＤＣＩフォーマットを受信した場合に、設定されるグラントをクリア、および／または、上りリンクのリソースをリリースしてもよい。
【０１２９】
以下、上述のように、端末装置１によって上りリンクデータの送信が実行され、第２のパラメータに基づいて、設定されるグラントがクリア、および／または、上りリンクのリソースがリリースされる動作を、第１の動作とも記載する。また、上述のように、端末装置１によって上りリンクデータの送信が実行され、セミパーシステントスケジューリングのリリースを指示するために用いられるＤＣＩフォーマットを受信した場合に、設定されるグラントがクリア、および／または、上りリンクのリソースがリリースされる動作を、第１の動作とも記載する。
【０１３０】
ここで、第１の動作において、端末装置１は、セミパーシステントスケジューリングの
リリースを指示するために用いられるＤＣＩフォーマットを受信した場合に、すぐに、設定されるグラントをクリア、および／または、上りリンクのリソースをリリースする。すなわち、端末装置１は、セミパーシステントスケジューリングのリリースを指示するために用いられるＤＣＩフォーマットを受信した場合に、基地局装置３へ何れの情報も送信することなく、すぐに、設定されるグラントをクリア、および／または、上りリンクのリソースをリリースする。
【０１３１】
図５は、本実施形態における上りリンクにおける送信の方法の例を示す図である。ここで、図５は、第１の動作における送信の方法（処理の方法）を示していてもよい。また、図５は、一例として、セミパーシステントスケジューリングのインターバルの値として“１（１サブフレーム）”が設定された場合の動作を記載している。また、図５に示される送信は、一例として、セミパーシステントスケジューリングのリソースでの送信を示している。
【０１３２】
サブフレームｉにおいて、端末装置１は、第１のＤＣＩ（セミパーシステントスケジューリングの活性化および／または再活性化を指示するために用いられるＤＣＩ（ＤＣＩフォーマット、上りリンクグラント、SPS activation command））を受信してもよい。ここで、端末装置１は、第１のＤＣＩを受信したサブフレームに対応するサブフレーム（例えば、サブフレームｉの４サブフレーム後のサブフレーム、サブフレームｎ１）において、ノンエンプティ送信を実行してもよい。ここで、サブフレームｎ１において、端末装置１は、エンプティ送信を実行してもよい。
【０１３３】
すなわち、端末装置１は、上述した数（１）に従って、設定される上りリンクグラントに基づくノンエンプティ送信を実行してもよい。すなわち、送信に対して利用可能なデータ（available data for transmission）を持つ場合において、端末装置１は、セミパー
システントスケジューリングのリソースでのノンエンプティ送信を実行してもよい。また、送信に対して利用可能なデータを持たない場合において、端末装置１は、セミパーシステントスケジューリングのリソースでのエンプティ送信を実行してもよい。同様に、サブフレームｎ２、サブフレーム３、サブフレーム４、サブフレーム５、サブフレーム６、および／または、サブフレーム７において、端末装置１は、ノンエンプティ送信、および／または、エンプティ送信を実行してもよい。
【０１３４】
ここで、送信に対して利用可能なデータを持つ場合とは、（ｉ）「パディングＢＳＲのみが送信に対して利用可能ではない」場合（a case that “not only padding BSR is available for transmission”）、または、（ｉｉ）「パディングＢＳＲ、および／または、パディングのみが送信に対して利用可能ではない」場合（a case that “not only padding BSR and/or padding is (are) available for transmission”）を含んでもよい。
すなわち、送信に対して利用可能なデータを持つ場合とは、パディングＢＳＲのみが送信に対して利用可能な状態ではない場合を含んでもよい。また、すなわち、送信に対して利用可能なデータを持つ場合とは、パディングＢＳＲ、および／または、パディングのみが送信に対して利用可能な状態ではない場合を含んでもよい。
【０１３５】
ここで、パディングＢＳＲは、第２のＭＡＣコントロールエレメントであってもよい。すなわち、パディングＢＳＲは、パディングＢＳＲが含まれるバッファステータスレポートＭＡＣコントロールエレメントであってもよい。
【０１３６】
また、送信に対して利用可能なデータを持たない場合とは、（ｉ）「パディングＢＳＲのみが送信に対して利用可能である」場合（a case that “only padding BSR is available for transmission”）、または、（ｉｉ）「パディングＢＳＲ、および／または、パディングのみが送信に対して利用可能である」場合（a case that “only padding BSR a
nd/or padding is (are) available for transmission”）を含んでもよい。
【０１３７】
ここで、後述するように、送信に対して利用可能なデータを持たない場合とは、（ｉｉｉ）「ＣＳＩリクエストフィールドがレポートをトリガするようにセットされている場合を除き、パディングＢＳＲのみが送信に対して利用可能である」場合（a case that “only padding BSR is available for transmission, except for a case that the CSI request field is set to trigger a report”）、または、（ｉv）「ＣＳＩリクエストフィールドがレポートをトリガするようにセットされている場合を除き、パディングＢＳＲ、および／または、パディングのみが送信に対して利用可能である」場合（a case that “only padding BSR and/or padding is (are) available for transmission, except for a case that the CSI request field is set to trigger a report”）を含んでもよい。
【０１３８】
また、上述したように、セミパーシステントスケジューリングのリソースでの連続するエンプティ送信の数が、第２のパラメータを用いて設定された値（送信の数）に達した場合には、端末装置１は、設定されるグラントをクリアしてもよい（図５における５００によって示される）。また、セミパーシステントスケジューリングのリソースでの連続するエンプティ送信の数が、第２のパラメータを用いて設定された値（送信の数）に達した場合には、端末装置１は、上りリンクのリソース（セミパーシステントスケジューリングのリソース）をリリースしてもよい。すなわち、端末装置１は、第２のパラメータに基づいて、設定されるグラントをクリア、および／または、上りリンクのリソースをリリースしてもよい。
【０１３９】
また、例えば、サブフレームｉ＋ｘにおいて、端末装置１は、第２のＤＣＩ（セミパーシステントスケジューリングのリリースを指示するために用いられるＤＣＩ（ＤＣＩフォーマット、上りリンクグラント、SPS release command））を受信してもよい。上述した
ように、端末装置１は、第２のＤＣＩを受信した場合に、すぐに、設定されるグラントをクリア、および／または、上りリンクのリソースをリリースしてもよい。すなわち、端末装置１は、第２のＤＣＩを受信した場合に、基地局装置３へ何れの情報も送信することなく、すぐに、設定されるグラントをクリア、および／または、上りリンクのリソースをリリースしてもよい。
【０１４０】
図６は、本実施形態における上りリンクにおける送信の方法を説明するための別の図である。以下、図６を用いて説明される動作を、第２の動作とも称する。ここで、図６は、一例として、セミパーシステントスケジューリングのインターバルの値として“１（１サブフレーム）”が設定された場合の動作を記載している。また、図６に示される送信は、一例として、セミパーシステントスケジューリングのリソースでの送信を示している。
【０１４１】
ここで、基地局装置３は、端末装置１へ第３のパラメータ（skipUplinkTxSPSとも称さ
れる）を送信してもよい。例えば、基地局装置３は、上位層の信号（例えば、ＲＲＣ層における信号）を用いて、第３のパラメータを送信してもよい。例えば、第３のパラメータは、第２の動作（第２の動作に含まれる一部の動作でもよい）を実行することを設定するために用いられるパラメータを含んでもよい。また、第３のパラメータは、上りリンクにおけるセミパーシステントスケジューリングのインターバルの値“１（１サブフレーム）”を設定するために用いられるパラメータを含んでもよい。
【０１４２】
また、第３のパラメータは、セミパーシステントスケジューリングのリソースでのエンプティ送信を実行するかどうか（実行すること、または、実行しないこと）を設定するために用いられるパラメータを含んでもよい。また、第３のパラメータは、セミパーシステントスケジューリングのリソースでのノンエンプティ送信を実行するかどうか（実行すること、または、実行しないこと）を設定するために用いられるパラメータを含んでもよい
。
【０１４３】
すなわち、端末装置１は、基地局装置３によって送信される第３のパラメータ（例えば、上位層におけるパラメータ、ＲＲＣ層におけるパラメータ）に基づいて、第１の動作と第２の動作を切り替えてもよい。例えば、端末装置１は、第３のパラメータが設定されていない場合には第１の動作を実行し、第３のパラメータが設定されている場合には第２の動作を実行してもよい。
【０１４４】
サブフレームｉにおいて、端末装置１は、第１のＤＣＩを受信してもよい。ここで、端末装置１は、第１のＤＣＩを受信したサブフレームに対応するサブフレーム（例えば、サブフレームｉの４サブフレーム後のサブフレーム、サブフレームｎ１）において、エンプティ送信を実行しない。また、端末装置１は、サブフレームｎ１において、ノンエンプティ送信を実行してもよい。
【０１４５】
すなわち、サブフレームｎ１において、送信に対して利用可能なデータを持たない端末装置１は、エンプティ送信を実行しない。すなわち、端末装置１は、エンプティ送信をスキップする。すなわち、端末装置１は、上りリンクグラント（設定されるグラント（the configured grant））をスキップする。すなわち、端末装置１は、上りリンクにおける送信をスキップしてもよい。また、サブフレームｎ１において、送信に対して利用可能なデータを持つ端末装置１は、ノンエンプティ送信を実行してもよい。
【０１４６】
すなわち、第３のパラメータが設定された端末装置１は、送信に対して利用可能なデータを持たない場合において、エンプティ送信を実行しない。上述したように、第３のパラメータが設定されていない端末装置１は、送信に対して利用可能なデータを持たない場合において、エンプティ送信を実行する。すなわち、端末装置１は、第３のパラメータに基づいて、送信に対して利用可能なデータを持たない場合において、エンプティ送信を実行するのか、エンプティ送信を実行しないのかを切り替えてもよい。
【０１４７】
ここで、サブフレームｎ１において、端末装置１は、Ｃ−ＲＮＴＩによってスクランブルされたＣＲＣパリティビットが付加されたＤＣＩ（ＤＣＩフォーマット、上りリンクグラント）に対応する送信を行う場合には、常に、ノンエンプティ送信またはエンプティ送信を実行してもよい。すなわち、端末装置１は、Ｃ−ＲＮＴＩによってスクランブルされたＣＲＣパリティビットが付加されたＤＣＩを用いてＰＵＳＣＨのリソースがスケジュールされた場合には、スケジュールされたＰＵＳＣＨのリソースを用いて、常に、ノンエンプティ送信またはエンプティ送信を実行してもよい。
【０１４８】
すなわち、Ｃ−ＲＮＴＩによってスクランブルされたＣＲＣパリティビットが付加されたＤＣＩを用いてスケジュールされたリソース（動的にスケジュールされたリソース）は、ＳＰＳ  Ｃ−ＲＮＴＩによってスクランブルされたＣＲＣパリティビットが付加されたＤＣＩを用いてスケジュールされたリソース（半永続的にスケジュールされたリソース）を上書き（override）してもよい。
【０１４９】
同様に、サブフレームｎ２、および／または、サブフレーム３において、送信に対して利用可能なデータを持つ端末装置１は、ノンエンプティ送信を実行してもよい。また、サブフレームｎ２、および／または、サブフレーム３において、送信に対して利用可能なデータを持たない端末装置１は、エンプティ送信を実行しなくてもよい。すなわち、送信に対して利用可能なデータを持つ端末装置１は、パディングＢＳＲおよび／またはパディングのみの送信を実行しない。
【０１５０】
すなわち、第３のパラメータが設定され、送信に対して利用可能なデータを持ち、且つ
、セミパーシステントスケジューリングに対応する上りリンクグラントが与えられた端末装置１は、ノンエンプティ送信を実行してもよい。また、第３のパラメータが設定され、送信に対して利用可能なデータを持たず、且つ、セミパーシステントスケジューリングに対応する上りリンクグラントが与えられた端末装置１は、エンプティ送信を実行しなくてもよい。
【０１５１】
また、第３のパラメータが設定されているかどうかに関わらず、送信に対して利用可能なデータを持ち、且つ、動的なスケジューリングに対応する上りリンクグラントが与えられた端末装置１は、ノンエンプティ送信を実行してもよい。また、第３のパラメータが設定されているかどうかに関わらず、送信に対して利用可能なデータを持たず、且つ、動的なスケジューリングに対応する上りリンクグラントが与えられた端末装置１は、エンプティ送信を実行してもよい。
【０１５２】
また、サブフレームｉ＋ｘにおいて、端末装置１は、第２のＤＣＩを受信してもよい。ここで、端末装置１は、送信に対して利用可能なデータを持たない場合には、第２のＤＣＩを受信したサブフレームに対応するサブフレーム（例えば、サブフレームｉ＋ｘの４サブフレーム後のサブフレーム、サブフレームｎ６）において、エンプティ送信を実行しなくてもよい。
【０１５３】
また、サブフレームｎ７において、送信に対して利用可能なデータを持つ端末装置１は、ノンエンプティ送信を実行してもよい。すなわち、送信に対して利用可能なデータを持つ端末装置１は、パディングＢＳＲおよび／またはパディングのみの送信を実行しない。ここで、端末装置１は、第２のＤＣＩを受信した場合には、セミパーシステントスケジューリングの活性化および／または非活性化を指示するために用いられる最新の（most recent）ＤＣＩ（最新の第１のＤＣＩ）によってスケジュールされたＰＵＳＣＨ（ＰＵＳＣ
Ｈのリソース）で、ノンエンプティ送信を実行してもよい。ここで、最新の第１のＤＣＩとは、最後に受信した（last received）第１のＤＣＩとも称される。
【０１５４】
すなわち、端末装置１は、送信に対して利用可能なデータを持つ場合には、ストアした、設定されるグラント（the configured grant）によってスケジュールされた、ＰＵＳＣＨ（ＰＵＳＣＨのリソース）で、ノンエンプティ送信を実行してもよい。すなわち、サブフレームｎ７において、送信に対して利用可能なデータを持つ端末装置１は、設定されるグラント（the configured grant）に基づくノンエンプティ送信を実行してもよい。
【０１５５】
上述したように、第２のＤＣＩにおいて、リソースブロック割り当て（リソース割り当て）に関連するフィールドには、セミパーシステントスケジューリングのリリースのために予め規定された値がセットされてもよい。従って、端末装置１は、第２のＤＣＩを受信した場合には、設定されるグラント（the configured grant）に基づいて、ノンエンプティ送信を実行してもよい。
【０１５６】
すなわち、端末装置１は、第２のＤＣＩを受信した場合には、設定されるグラント（the configured grant）に基づいて、ノンエンプティ送信を実行してもよい。すなわち、端末装置１は、第２のＤＣＩを受信した場合には、ＰＵＳＣＨ（ＰＵＳＣＨのリソース）をリリースする前に、ＰＵＳＣＨ（ＰＵＳＣＨのリソース）を用いて、ノンエンプティ送信を実行してもよい。ここで、ＰＵＳＣＨ（ＰＵＳＣＨのリソース）は、最新の第１のＤＣＩによってスケジュールされる。すなわち、ＰＵＳＣＨ（ＰＵＳＣＨのリソース）は、設定されるグラント（the configured grant）によってスケジュールされる。
【０１５７】
また、端末装置１は、ノンエンプティ送信を実行したサブフレーム、または、ノンエンプティ送信を実行したサブフレームより後のサブフレームにおいて、設定されるグラント
をクリア、および／または、上りリンクのリソースをリリースしてもよい（図６における６００によって示される）。すなわち、第３のパラメータが設定された端末装置１は、第２のＤＣＩを受信した場合に、ノンエンプティ送信を実行し、そして、設定されるグラントをクリア、および／または、上りリンクのリソースをリリースしてもよい。
【０１５８】
また、端末装置１は、第２のＤＣＩを受信したサブフレーム、または、該第２のＤＣＩを受信したサブフレームより後のサブフレームにおいて、設定されるグラントをクリア、および／または、上りリンクのリソースをリリースしてもよい。
【０１５９】
すなわち、第３のパラメータが設定された端末装置１は、第２のＤＣＩを受信した場合に、設定されるグラント（the configured grant）をＨＡＲＱエンティティに渡した後に、第２のＤＣＩを受信したサブフレーム、または、該第２のＤＣＩを受信したサブフレームより後のサブフレームにおいて、設定されるグラントをクリア、および／または、上りリンクのリソースをリリースしてもよい。
【０１６０】
上述したように、第３のパラメータが設定されていない端末装置１は、第２のＤＣＩを受信した場合に、基地局装置３へ何れの情報も送信することなく、設定されるグラントをクリア、および／または、上りリンクのリソースをリリースする。すなわち、端末装置１は、第３のパラメータに基づいて、第２のＤＣＩを受信した場合に、ノンエンプティ送信を実行し、その後に、設定されるグラントをクリア、および／または、上りリンクのリソースをリリースするのか、基地局装置３へ何れの情報も送信することなく、設定されるグラントをクリア、および／または、上りリンクのリソースをリリースするのか、を切り替えてもよい。
【０１６１】
ここで、サブフレームｎ６、および／または、サブフレームｎ７において、端末装置１は、第２のＤＣＩに対する確認応答（ＡＣＫまたはＮＡＣＫを示す情報、ＳＰＳ確認：SPS confirmationとも称される）を送信してもよい。例えば、端末装置１は、第３のパラメータが設定された際にＳＰＳ確認（第１のＤＣＩおよび／または第２のＤＣＩに対する確認応答）をトリガし、第２のＤＣＩを受信した場合に、第２のＤＣＩに対するＳＰＳ確認を、ＰＵＳＣＨを用いて送信してもよい。すなわち、端末装置１は、ＳＰＳ確認を送信した後、すぐに、設定されるグラントをクリア、および／または、上りリンクのリソース（セミパーシステントスケジューリングのリソース）をリリースしてもよい。ここで、端末装置１は、ＳＰＳ確認を送信した後に、上りリンクのリソース（セミパーシステントスケジューリングのリソース）をリリースし、その後に、すぐに、設定されるグラントをクリアしてもよい。
【０１６２】
すなわち、端末装置１は、ＰＤＣＣＨで送信される第２のＤＣＩに対するＳＰＳ確認を、ＰＵＳＣＨを用いて送信してもよい。また、端末装置１は、ノンエンプティ送信を実行する際に、第２のＤＣＩに対するＳＰＳ確認を含めて送信してもよい。すなわち、端末装置１は、ＰＤＳＣＨ（下りリンクデータ）に対する確認応答を送信するのではなく、ＰＤＣＣＨで送信される第２のＤＣＩに対するＳＰＳ確認を、ＰＵＳＣＨを用いて送信してもよい。
【０１６３】
上述したように、第３のパラメータが設定され、且つ、送信に対して利用可能なデータを持たない端末装置１は、エンプティ送信を実行しない。すなわち、第３のパラメータが設定され、且つ、第２のＭＡＣコントロールエレメントのみが送信に対して利用可能な場合、端末装置１はエンプティ送信を実行しない。また、第３のパラメータが設定され、且つ、第２のＭＡＣコントロールエレメント、および／または、パディングのみが送信に対して利用可能な場合、端末装置１はエンプティ送信を実行しない。
【０１６４】
より詳細には、エンプティ送信を実行しないことは、端末装置１における第１のエンティティ、ＨＡＲＱエンティティ、および／または、ＨＡＲＱプロセスにおける動作（処理）として規定されてもよい。すなわち、ノンエンプティ送信を実行すること、ノンエンプティ送信を実行しないこと、エンプティ送信を実行すること、および／または、エンプティ送信を実行しないことは、端末装置１における第１のエンティティ、ＨＡＲＱエンティティ、および／または、ＨＡＲＱプロセスにおける動作（処理）として規定されてもよい。
【０１６５】
例えば、ＨＡＲＱエンティティが、送信に対して利用可能なデータを持つかどうかに基づいて、第１のエンティティから、送信のためのＭＡＣプロトコルデータユニット（the MAC PDU to transmit）を取得するかどうかを決定することが規定されてもよい。例えば
、ＨＡＲＱエンティティは、送信に対して利用可能なデータを持つ場合、第１のエンティティから、送信のためのＭＡＣプロトコルデータユニット（the MAC PDU to transmit）
を取得してもよい。すなわち、ＨＡＲＱエンティティは、送信に対して利用可能なデータを持たない場合、第１のエンティティから、送信のためのＭＡＣプロトコルデータユニットを取得しなくてもよい。
【０１６６】
また、第３のパラメータが設定され、上りリンクグラントがＳＰＳ  Ｃ−ＲＮＴＩにアドレスされ、且つ、送信に対して利用可能なデータを持つ場合には、ＨＡＲＱエンティティが第１のエンティティからＭＡＣプロトコロデータユニットを取得することが規定されてもよい。すなわち、第３のパラメータが設定され、上りリンクグラントがＳＰＳ  Ｃ−ＲＮＴＩにアドレスされ、且つ、送信に対して利用可能なデータを持たない場合には、ＨＡＲＱエンティティが第１のエンティティからＭＡＣプロトコロデータユニットを取得しなくてもよい。ここで、ＭＡＣプロトコロデータユニットは、１つまたは複数の第１のＭＡＣコントロールエレメント、および／または、１つまたは複数のＭＡＣサービスデータユニットを含んでもよい。
【０１６７】
ここで、送信のためのＭＡＣプロトコルデータユニットが取得された場合、ＨＡＲＱプロセスに初期送信のトリガを指示してもよい。すなわち、この場合において、ノンエンプティ送信が実行されてもよい。すなわち、この場合において、上りリンクの送信が行われてもよい。例えば、送信のためのＭＡＣプロトコルデータユニットが取得された場合、ＨＡＲＱエンティティは、ＭＡＣプロトコルデータユニット、および、設定されるグラントをＨＡＲＱプロセスに渡し、ＨＡＲＱプロセスに初期送信のトリガを指示してもよい。ここで、ＨＡＲＱプロセスは、設定されるグラントをストアし、ストアされる上りリンクグラント（the stored uplink grant）に従った送信の生成を物理レイヤに指示してもよい
。
【０１６８】
ここで、アピリオディックＣＳＩレポート（アピリオディックＣＳＩレポーティング）は、物理レイヤにおいて生成（実行）されてもよい。例えば、送信のためのＭＡＣプロトコルデータユニット（トランスポートブロック、上りリンクデータ）が取得され、ストアされる上りリンクグラントに従った送信の生成が指示された場合において、アピリオディックＣＳＩレポートが物理レイヤにおいて生成され、ＰＵＳＣＨを用いて、アピリオディックＣＳＩレポートと共に、ＭＡＣプロトコルデータユニット（トランスポートブロック、上りリンクデータ）が送信されてもよい。ここで、端末装置１によってエンプティ送信がスキップされた場合において、アピリオディックＣＳＩレポートはドロップされてもよい（アピリオディックＣＳＩレポートは実行されなくてもよい。）
【０１６９】
また、ＭＡＣプロトコルデータユニットが取得されなかった場合、ＨＡＲＱエンティティは、ＭＡＣプロトコルデータユニット、および、設定されるグラントをＨＡＲＱプロセスに渡さず、ＨＡＲＱプロセスに初期送信のトリガを指示しなくてもよい。すなわち、こ
の場合において、エンプティ送信が実行されなくてもよい。
【０１７０】
ここで、第１のエンティティによって、送信のためのＭＡＣプロトコルデータユニットが供給されてもよい。また、第１のエンティティにおいて、新しい送信が実行される場合における、論理チャネルの優先付け手順（Logical Channel Prioritization procedure）が適用されてもよい。また、第１のエンティティにおいて、ＭＡＣコントロールエレメントおよびＭＡＣサービスデータユニットの多重が行なわれてもよい。
【０１７１】
例えば、第１のエンティティは、エンプティ送信が実行されない場合において、エンプティ送信に対応するＭＡＣプロトコルデータユニットを生成しなくてもよい。また、第１のエンティティは、エンプティ送信が実行されない場合において、エンプティ送信に対応するＭＡＣプロトコルデータユニットをＨＡＲＱエンティティに渡さなくてもよい。
【０１７２】
また、ＨＡＲＱエンティティは、エンプティ送信が実行されない場合において、エンプティ送信に対応するＭＡＣプロトコルデータユニットをＨＡＲＱプロセスに渡さなくてもよい。また、ＨＡＲＱプロセスは、エンプティ送信が実行されない場合において、エンプティ送信に対応するＭＡＣプロトコルデータユニットを物理層に渡さなくてもよい。
【０１７３】
例えば、第３のパラメータが設定され、送信に対して利用可能なデータを持ち、且つ、ＭＡＣエンティティがセミパーシステントスケジューリングに対応する上りリンクグラントを与えられた場合には、ＭＡＣエンティティが、１つまたは複数のＭＡＣサービスデータユニットが含まれる、ＭＡＣプロトコルデータユニットを送信することが規定されてもよい。すなわち、この場合において、ＨＡＲＱエンティティは、第１のエンティティから、送信のためのＭＡＣプロトコルデータユニット（the MAC PDU to transmit）を取得し
てもよい。
【０１７４】
また、第３のパラメータが設定され、送信に対して利用可能なデータを持ち、且つ、ＭＡＣエンティティがセミパーシステントスケジューリングに対応する上りリンクグラントを与えられた場合には、ＭＡＣエンティティが、１つまたは複数の第１のＭＡＣコントロールエレメントが含まれる、ＭＡＣプロトコルデータユニットを送信することが規定されてもよい。すなわち、この場合において、ＨＡＲＱエンティティは、第１のエンティティから、送信のためのＭＡＣプロトコルデータユニット（the MAC PDU to transmit）を取
得してもよい。
【０１７５】
すなわち、第３のパラメータが設定され、送信に対して利用可能なデータを持ち、且つ、ＭＡＣエンティティがセミパーシステントスケジューリングに対応する上りリンクグラントを与えられた場合には、ＭＡＣエンティティが、１つまたは複数のＭＡＣサービスデータユニット、および／または、１つまたは複数の第１のＭＡＣコントロールエレメントが含まれる、ＭＡＣプロトコルデータユニットを送信することが規定されてもよい。すなわち、この場合において、ＨＡＲＱエンティティは、第１のエンティティから、送信のためのＭＡＣプロトコルデータユニット（the MAC PDU to transmit）を取得してもよい。
【０１７６】
また、第３のパラメータが設定され、送信に対して利用可能なデータを持ち、且つ、ＭＡＣエンティティがセミパーシステントスケジューリングに対応する上りリンクグラントを与えられた場合には、ＭＡＣエンティティが、パディングＢＳＲのみ、および／または、パディングのみが含まれる、ＭＡＣプロトコルデータユニットを送信しないことが規定されてもよい。
【０１７７】
すなわち、第３のパラメータが設定され、送信に対して利用可能なデータを持ち、且つ、ＭＡＣエンティティがセミパーシステントスケジューリングに対応する上りリンクグラ
ントを与えられた場合には、ＭＡＣエンティティが、１つまたは複数の第２のＭＡＣコントロールエレメントのみ、および／または、パディングのみが含まれる、ＭＡＣプロトコルデータユニットを送信しないことが規定されてもよい。
【０１７８】
図７は、本実施形態における上りリンクにおける送信の方法の例を示す別の図である。ここで、図７は、第１の動作における送信の方法（処理の方法）を示していてもよい。すなわち、図７は、図５に対応してもよい。すなわち、図７は、第３のパラメータが設定されていない場合における端末装置１の動作を示していてもよい。
【０１７９】
サブフレームｉにおいて、端末装置１は、第１のＤＣＩを受信してもよい。ここで、第１のＤＣＩには、ＣＳＩリクエストフィールドが含まれてもよい。すなわち、基地局装置３は、第１のＤＣＩに含まれるＣＳＩリクエストフィールドを用いて、レポートをトリガするようにセットすることによって、ＰＵＳＣＨを用いたＣＳＩの送信（aperiodic CSI report）をトリガしてもよい。
【０１８０】
ここで、端末装置１は、レポートをトリガするようにセットされているＣＳＩリクエストフィールドが含まれる第１のＤＣＩを受信した場合には、サブフレームｉに対応するサブフレーム（例えば、サブフレームｉの４サブフレーム後のサブフレーム、サブフレームｎ１）において、ＰＵＳＣＨを用いてＣＳＩを送信してもよい（アピリオディックＣＳＩレポーティングを実行してもよい）。
【０１８１】
すなわち、端末装置１は、レポートをトリガするようにセットされているＣＳＩリクエストフィールドが含まれる第１のＤＣＩを受信した場合には、常に（必ず）、アピリオディックＣＳＩレポーティングを実行してもよい。すなわち、端末装置１は、レポートをトリガするようにセットされているＣＳＩリクエストフィールドが含まれるＤＣＩを受信したサブフレームに対応する最初のサブフレーム（サブフレームｎ１）において、常に、アピリオディックＣＳＩレポーティングを実行してもよい。すなわち、端末装置１は、レポートをトリガするようにセットされているＣＳＩリクエストフィールドが含まれるＤＣＩを受信した場合には、常に、最初のＰＵＳＣＨのリソース（最初のセミパーシステントスケジューリングのリソース）を用いて、アピリオディックＣＳＩレポーティングを実行してもよい。
【０１８２】
すなわち、端末装置１は、レポートをトリガするようにセットされているＣＳＩリクエストフィールドが含まれる第１のＤＣＩによって、上述した数（１）に従った、設定される上りリンクグラントに基づく上りリンクの送信（連続的に生じるとみなされる上りリンクの送信）が指示される場合において、最初の上りリンクの送信（最初の上りリンクの送信が実行されるサブフレーム）において、アピリオディックＣＳＩレポーティングを実行してもよい。
【０１８３】
ここで、端末装置１は、レポートをトリガしないようにセットされているＣＳＩリクエストフィールド（レポートをトリガするようにセットされていないＣＳＩリクエストフィールド）が含まれる第１のＤＣＩを受信した場合には、サブフレームｎ１において、ノンエンプティ送信、および／または、エンプティ送信を実行してもよい。すなわち、サブフレームｎ１において、送信に対して利用可能なデータを持つ端末装置１は、ノンエンプティ送信を実行してもよい。また、サブフレームｎ１において、送信に対して利用可能なデータを持たない端末装置１は、エンプティ送信を実行してもよい。
【０１８４】
また、サブフレームｉ＋ｘにおいて、端末装置１は、第２のＤＣＩを受信してもよい。ここで、第２のＤＣＩには、ＣＳＩリクエストフィールドが含まれてもよい。すなわち、基地局装置３は、第２のＤＣＩに含まれるＣＳＩリクエストフィールドを用いて、レポー
トをトリガするようにセットすることによって、ＰＵＳＣＨを用いたＣＳＩの送信（aperiodic CSI report）をトリガしてもよい。
【０１８５】
上述したように、第３のパラメータを設定されていない端末装置１は、第２のＤＣＩを受信した場合に、基地局装置３へ何れの情報も送信することなく、すぐに、設定されるグラントをクリア、および／または、上りリンクのリソースをリリースしてもよい。すなわち、第３のパラメータを設定されていない端末装置１は、ＣＳＩリクエストフィールドが含まれる第２のＤＣＩを受信した場合に、ＣＳＩリクエストフィールドがレポートをトリガするようにセットされているかどうかに関わらず、すぐに、設定されるグラントをクリア、および／または、上りリンクのリソースをリリースしてもよい。
【０１８６】
図８は、本実施形態における上りリンクにおける送信の方法の例を示す図である。ここで、図８は、第２の動作における送信の方法（処理の方法）を示していてもよい。すなわち、図８は、図６に対応してもよい。すなわち、図８は、第３のパラメータが設定されている場合における端末装置１の動作を示していてもよい。
【０１８７】
サブフレームｉにおいて、端末装置１は、ＣＳＩリクエストフィールドが含まれる第１のＤＣＩを受信してもよい。ここで、端末装置１は、レポートをトリガするようにセットされているＣＳＩリクエストフィールドが含まれる第１のＤＣＩを受信した場合には、サブフレームｉに対応するサブフレーム（例えば、サブフレームｉの４サブフレーム後のサブフレーム、サブフレームｎ１）において、ＰＵＳＣＨを用いてＣＳＩを送信してもよい（アピリオディックＣＳＩレポーティングを実行してもよい）。
【０１８８】
すなわち、端末装置１は、レポートをトリガするようにセットされているＣＳＩリクエストフィールドが含まれる第１のＤＣＩを受信した場合には、常に（必ず）、アピリオディックＣＳＩレポーティングを実行してもよい。すなわち、端末装置１は、レポートをトリガするようにセットされているＣＳＩリクエストフィールドが含まれる第１のＤＣＩを受信したサブフレームに対応する最初のサブフレーム（サブフレームｎ１）において、常に、アピリオディックＣＳＩレポーティングを実行してもよい。すなわち、端末装置１は、レポートをトリガするようにセットされているＣＳＩリクエストフィールドが含まれるＤＣＩを受信した場合には、常に、最初のＰＵＳＣＨのリソース（最初のセミパーシステントスケジューリングのリソース）を用いて、アピリオディックＣＳＩレポーティングを実行してもよい。
【０１８９】
すなわち、端末装置１は、レポートをトリガするようにセットされているＣＳＩリクエストフィールドが含まれる第１のＤＣＩによって、上述した数（１）に従った、設定される上りリンクグラントに基づく上りリンクの送信（連続的に生じるとみなされる上りリンクの送信）が指示される場合において、最初の上りリンクの送信（最初の上りリンクの送信が実行されるサブフレーム）において、アピリオディックＣＳＩレポーティングを実行してもよい。
【０１９０】
また、端末装置１は、レポートをトリガしないようにセットされている第１のＤＣＩを受信した場合には、サブフレームｉに対応するサブフレームにおいて、ノンエンプティ送信を実行してもよい。また、端末装置１は、レポートをトリガしないようにセットされている第１のＤＣＩを受信した場合には、エンプティ送信を実行しなくてもよい。すなわち、送信に対して利用可能なデータを持つ端末装置１は、ノンエンプティ送信を実行してもよい。また、送信に対して利用可能なデータを持たない端末装置１は、エンプティ送信を実行しなくてもよい。
【０１９１】
ここで、端末装置１は、第１のＤＣＩに対する確認応答（ＡＣＫまたはＮＡＣＫを示す
情報、ＳＰＳ確認：SPS confirmation）を、ＣＳＩと共に、ＰＵＳＣＨを用いて送信してもよい。また、端末装置１は、ノンエンプティ送信を実行する際に、第１のＤＣＩに対するＳＰＳ確認を送信してもよい。例えば、端末装置１は、第３のパラメータが設定された際にＳＰＳ確認（第１のＤＣＩおよび／または第２のＤＣＩに対する確認応答）をトリガし、第１のＤＣＩを受信した場合に、第１のＤＣＩに対するＳＰＳ確認を送信してもよい。
【０１９２】
すなわち、端末装置１は、ＰＤＣＣＨで送信される第１のＤＣＩに対するＳＰＳ確認を、ＣＳＩと共に、ＰＵＳＣＨを用いて送信してもよい。すなわち、端末装置１は、ＰＤＳＣＨ（下りリンクデータ）に対する確認応答を送信するのではなく、ＰＤＣＣＨで送信される第１のＤＣＩ（ＰＵＳＣＨのスケジューリングに用いられるＤＣＩ）に対するＳＰＳ確認を、ＣＳＩと共に、ＰＵＳＣＨを用いて送信してもよい。
【０１９３】
また、サブフレームｉ＋ｘにおいて、端末装置１は、ＣＳＩリクエストフィールドが含まれる第２のＤＣＩを受信してもよい。ここで、端末装置１は、レポートをトリガするようにセットされているＣＳＩリクエストフィールドが含まれる第２のＤＣＩを受信した場合には、サブフレームｉ＋ｘに対応するサブフレーム（例えば、サブフレームｉ＋ｘの４サブフレーム後のサブフレーム、サブフレームｎ６）において、ＰＵＳＣＨを用いてＣＳＩを送信してもよい（アピリオディックＣＳＩレポーティングを実行してもよい）。
【０１９４】
すなわち、端末装置１は、レポートをトリガするようにセットされているＣＳＩリクエストフィールドが含まれる第２のＤＣＩを受信した場合には、常に（必ず）、アピリオディックＣＳＩレポーティングを実行してもよい。すなわち、端末装置１は、レポートをトリガするようにセットされているＣＳＩリクエストフィールドが含まれる第２のＤＣＩを受信したサブフレームに対応する最初のサブフレーム（サブフレームｎ６）において、常に、アピリオディックＣＳＩレポーティングを実行してもよい。すなわち、端末装置１は、レポートをトリガするようにセットされているＣＳＩリクエストフィールドが含まれるＤＣＩを受信した場合には、常に、最初のＰＵＳＣＨのリソース（最初のセミパーシステントスケジューリングのリソース）を用いて、アピリオディックＣＳＩレポーティングを実行してもよい。
【０１９５】
ここで、端末装置１は、レポートをトリガするようにセットされているＣＳＩリクエストフィールドが含まれる第２のＤＣＩを受信した場合には、設定されるグラント（the configured grant）に基づいて、アピリオディックＣＳＩレポーティングを実行してもよい。すなわち、端末装置１は、第１のＤＣＩ（最新の第１のＤＣＩ）によってスケジュールされたＰＵＳＣＨ（ＰＵＳＣＨのリソース）を用いて、アピリオディックＣＳＩレポーティングを実行してもよい。
【０１９６】
すなわち、端末装置１は、レポートをトリガするようにセットされているＣＳＩリクエストフィールドが含まれる第２のＤＣＩを受信した場合には、第１のＤＣＩによってスケジューリングされたＰＵＳＣＨを用いて、アピリオディックＣＳＩレポーティングを実行してもよい。
【０１９７】
また、端末装置１は、レポートをトリガするようにセットされているＣＳＩリクエストフィールドが含まれる第２のＤＣＩを受信した場合に、アピリオディックＣＳＩレポーティングを実行し、そして、設定されるグラントをクリア、および／または、上りリンクのリソースをリリースしてもよい（図８における８００によって示される）。
【０１９８】
また、端末装置１は、レポートをトリガするようにセットされているＣＳＩリクエストフィールドが含まれる第２のＤＣＩを受信したサブフレーム、または、該第２のＤＣＩを
受信したサブフレームより後のサブフレームにおいて、設定されるグラントをクリア、および／または、上りリンクのリソースをリリースしてもよい。
【０１９９】
ここで、サブフレームｎ６において、端末装置１は、第２のＤＣＩに対する確認応答（ＡＣＫまたはＮＡＣＫを示す情報、ＳＰＳ確認：SPS confirmation）を、ＣＳＩと共に、ＰＵＳＣＨを用いて送信してもよい。例えば、端末装置１は、第３のパラメータが設定された際にＳＰＳ確認（第１のＤＣＩおよび／または第２のＤＣＩに対する確認応答）をトリガし、第２のＤＣＩを受信した場合に、第２のＤＣＩに対するＳＰＳ確認を送信してもよい。
【０２００】
すなわち、端末装置１は、ＰＤＣＣＨで送信される第２のＤＣＩに対する確認応答を、ＣＳＩと共に、ＰＵＳＣＨを用いて送信してもよい。また、端末装置１は、ノンエンプティ送信を実行する際に、第２のＤＣＩに対する確認応答を含めて送信してもよい。すなわち、端末装置１は、ＰＤＳＣＨ（下りリンクデータ）に対する確認応答を送信するのではなく、ＰＤＣＣＨで送信される第２のＤＣＩに対する確認応答を、ＣＳＩと共に、ＰＵＳＣＨを用いて送信してもよい。
【０２０１】
また、端末装置１は、レポートをトリガしないようにセットされている第２のＤＣＩを受信した場合には、サブフレームｎ６において、ノンエンプティ送信を実行してもよい。また、端末装置１は、レポートをトリガしないようにセットされている第２のＤＣＩを受信した場合には、エンプティ送信を実行しなくてもよい。すなわち、サブフレームｎ６において、送信に対して利用可能なデータを持つ端末装置１は、ノンエンプティ送信を実行してもよい。また、サブフレームｎ６において、送信に対して利用可能なデータを持たない端末装置１は、エンプティ送信を実行しなくてもよい。ここで、サブフレームｎ６において、端末装置１は、ＳＰＳ確認を送信してもよい。
【０２０２】
また、端末装置１は、レポートをトリガしないようにセットされている第２のＤＣＩを受信した場合に、ノンエンプティ送信を実行し、そして、設定されるグラントをクリア、および／または、上りリンクのリソースをリリースしてもよい。また、端末装置１は、ＳＰＳ確認（アピリオディックＣＳＩレポートおよびＳＰＳ確認）を送信した後、すぐに、設定されるグラントをクリア、および／または、上りリンクのリソース（セミパーシステントスケジューリングのリソース）をリリースしてもよい。ここで、端末装置１は、ＳＰＳ確認を送信した後に、上りリンクのリソース（セミパーシステントスケジューリングのリソース）をリリースし、その後に、すぐに、設定されるグラントをクリアしてもよい。
【０２０３】
図９は、本実施形態における上りリンクにおける送信の方法の例を示す別の図である。
【０２０４】
上述したように、第３のパラメータが設定されおり、レポートをトリガするようにセットされているＣＳＩリクエストフィールドが含まれる第１のＤＣＩを受信した場合において、端末装置１は、アピリオディックＣＳＩレポーティングを実行してもよい。ここで、この場合において、端末装置１は、レポートをトリガするようにセットされているＣＳＩリクエストフィールドが含まれる第１のＤＣＩを受信したサブフレームに対応する最初のサブフレームにおいて、アピリオディックＣＳＩレポーティングを実行してもよい。すなわち、この場合において、端末装置１は、第１のＤＣＩによってスケジューリングされた最初のＰＵＳＣＨのリソース（最初のセミパーシステントスケジューリングのリソース）を用いて、アピリオディックＣＳＩレポーティングを実行してもよい。
【０２０５】
また、第３のパラメータが設定されておらず、レポートをトリガするようにセットされているＣＳＩリクエストフィールドが含まれる第１のＤＣＩを受信した場合において、端末装置１は、アピリオディックＣＳＩレポーティングを実行してもよい。ここで、この場
合において、端末装置１は、レポートをトリガするようにセットされているＣＳＩリクエストフィールドが含まれる第１のＤＣＩを受信したサブフレームに対応する最初のサブフレームにおいて、アピリオディックＣＳＩレポーティングを実行してもよい。すなわち、この場合において、端末装置１は、第１のＤＣＩによってスケジューリングされた最初のＰＵＳＣＨのリソース（最初のセミパーシステントスケジューリングのリソース）を用いて、アピリオディックＣＳＩレポーティングを実行してもよい。
【０２０６】
また、第３のパラメータが設定されており、レポートをトリガしないようにセットされているＣＳＩリクエストフィールドが含まれる第１のＤＣＩを受信した場合において、端末装置１は、アピリオディックＣＳＩレポーティングを実行しなくてもよい。ここで、送信に対して利用可能なデータを持つ端末装置１は、セミパーシステントスケジューリングのリソースでのノンエンプティ送信を実行してもよい。また、送信に対して利用可能なデータを持つ端末装置１は、エンプティ送信を実行しなくてもよい（エンプティ送信をスキップしてもよい）。
【０２０７】
また、第３のパラメータが設定されておらず、レポートをトリガしないようにセットされているＣＳＩリクエストフィールドが含まれる第１のＤＣＩを受信した場合において、端末装置１は、アピリオディックＣＳＩレポーティングを実行しなくてもよい。ここで、送信に対して利用可能なデータを持つ端末装置１は、セミパーシステントスケジューリングのリソースでのノンエンプティ送信を実行してもよい。また、送信に対して利用可能なデータを持たない端末装置１は、エンプティ送信を実行してもよい。
【０２０８】
また、第３のパラメータが設定されおり、レポートをトリガするようにセットされているＣＳＩリクエストフィールドが含まれる第２のＤＣＩを受信した場合において、端末装置１は、アピリオディックＣＳＩレポーティングを実行してもよい。ここで、この場合において、端末装置１は、レポートをトリガするようにセットされているＣＳＩリクエストフィールドが含まれる第２のＤＣＩを受信したサブフレームに対応する最初のサブフレームにおいて、アピリオディックＣＳＩレポーティングを実行してもよい。また、この場合において、端末装置１は、第１のＤＣＩによってスケジューリングされた最初のＰＵＳＣＨのリソース（最初のセミパーシステントスケジューリングのリソース）を用いて、アピリオディックＣＳＩレポーティングを実行してもよい。また、この場合において、端末装置１は、アピリオディックＣＳＩレポーティングを実行し、そして、設定されるグラントをクリア、および／または、上りリンクのリソースをリリースしてもよい。
【０２０９】
例えば、上述したように、端末装置１は、ＳＰＳ確認（アピリオディックＣＳＩレポートおよびＳＰＳ確認）を送信した後に、上りリンクのリソース（セミパーシステントスケジューリングのリソース）をリリースし、その後に、すぐに、設定されるグラントをクリアしてもよい。
【０２１０】
また、第３のパラメータが設定されておらず、レポートをトリガするようにセットされているＣＳＩリクエストフィールドが含まれる第２のＤＣＩを受信した場合において、端末装置１は、アピリオディックＣＳＩレポーティングを実行しなくてもよい。ここで、この場合において、端末装置１は、レポートをトリガするようにセットされているＣＳＩリクエストフィールドが含まれる第２のＤＣＩを受信した後に、すぐに、設定されるグラントをクリア、および／または、上りリンクのリソースをリリースしてもよい。
【０２１１】
また、第３のパラメータが設定されており、レポートをトリガしないようにセットされているＣＳＩリクエストフィールドが含まれる第２のＤＣＩを受信した場合において、端末装置１は、アピリオディックＣＳＩレポーティングを実行しなくてもよい。ここで、送信に対して利用可能なデータを持つ端末装置１は、セミパーシステントスケジューリング
のリソースでのノンエンプティ送信を実行してもよい。また、送信に対して利用可能なデータを持たない端末装置１は、エンプティ送信をスキップしてもよい。また、端末装置１は、ＳＰＳ確認を送信してもよい。
【０２１２】
例えば、上述したように、端末装置１は、ＳＰＳ確認を送信した後に、上りリンクのリソース（セミパーシステントスケジューリングのリソース）をリリースし、その後に、すぐに、設定されるグラントをクリアしてもよい。
【０２１３】
また、第３のパラメータが設定されておらず、レポートをトリガしないようにセットされているＣＳＩリクエストフィールドが含まれる第１のＤＣＩを受信した場合において、端末装置１は、アピリオディックＣＳＩレポーティングを実行しなくてもよい。ここで、この場合において、端末装置１は、レポートをトリガするようにセットされているＣＳＩリクエストフィールドが含まれる第２のＤＣＩを受信した後に、すぐに、設定されるグラントをクリア、および／または、上りリンクのリソースをリリースしてもよい。
【０２１４】
図１０は、本実施形態における上りリンクにおける送信の方法の例を示す別の図である。
【０２１５】
上述したように、端末装置１におけるＨＡＲＱプロセスは、端末装置１におけるＭＡＣエンティティによって、設定される上りリンクグラント（the configured grant）としてストアされる上りリンクグラントがクリアされたことに基づいて、ストアされる上りリンクグラントをクリアしなくてもよい。
【０２１６】
すなわち、端末装置１におけるＭＡＣエンティティによってストアされる上りリンクグラントがクリアされたとしても、端末装置１におけるＨＡＲＱプロセスによってストアされる上りリンクグラントに基づいて、セミパーシステントスケジューリングのリソース（ＰＵＳＣＨのリソース）での再送信を実行することができる。
【０２１７】
図１０において、端末装置１は、サブフレームｉ＋ｘにおいて、第２のＤＣＩを受信していることを示している。ここで、端末装置１は、第２のＤＣＩを受信したサブフレームに対応するサブフレーム（例えば、サブフレームｉ＋ｘの４サブフレーム後のサブフレーム、サブフレームｎ１）がメジャメントギャップ（measurement gap）の間である場合に
は、上りリンクにおける送信（ＵＬ−ＳＣＨでの送信、ＰＵＳＣＨでの送信）を実行しなくてもよい。すなわち、端末装置１におけるＭＡＣエンティティは、設定される上りリンクグラントがメジャメントギャップの間で指示され、且つ、上りリンクにおける送信がメジャメントギャップの間で指示された場合には、上りリンクグラントを処理（プロセス）するが、上りリンクにおける送信を実行しなくてもよい。
【０２１８】
すなわち、端末装置１におけるＭＡＣエンティティは、設定される上りリンクグラントがメジャメントギャップの間で指示され、且つ、上りリンクにおける送信がメジャメントギャップの間で指示された場合には、ＨＡＲＱプロセスに、上りリンクグラント（設定されるグラント）を渡してもよい。また、この場合において、端末装置１におけるＭＡＣエンティティは、設定されるグラントをクリア、および／または、上りリンクのリソースをリリースしてもよい（図１０における１０００によって示される）。
【０２１９】
すなわち、端末装置１におけるＭＡＣエンティティは、サブフレームｎ１において上りリンクにおける送信が実行されなかった場合においても、ＨＡＲＱプロセスに、上りリンクグラント（設定されるグラント）を渡し、そして、設定されるグラントをクリア、および／または、上りリンクのリソースをリリースしてもよい。
【０２２０】
また、端末装置１におけるＨＡＲＱプロセスは、端末装置１におけるＭＡＣエンティティから渡された上りリンクグラントに基づいて、セミパーシステントスケジューリングのリソース（ＰＵＳＣＨのリソース）での再送信を実行してもよい。すなわち、端末装置１におけるＨＡＲＱプロセスは、サブフレームｎ２において、上りリンクにおける再送信を実行してもよい。
【０２２１】
以下、本実施形態における装置の構成について説明する。
【０２２２】
図１１は、本実施形態における端末装置１の構成を示す概略ブロック図である。図に示すように、端末装置１は、上位層処理部１０１、制御部１０３、受信部１０５、送信部１０７と送受信アンテナ部１０９を含んで構成される。また、上位層処理部１０１は、無線リソース制御部１０１１、スケジューリング情報解釈部１０１３、および、ＳＰＳ制御部１０１５を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【０２２３】
上位層処理部１０１は、ユーザーの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet
Data Convergence Protocol: PDCP）層、無線リンク制御（Radio Link Control: RLC）
層、無線リソース制御（Radio Resource Control: RRC）層の処理を行なう。
【０２２４】
上位層処理部１０１が備える無線リソース制御部１０１１は、自装置の各種設定情報／パラメータの管理をする。無線リソース制御部１０１１は、基地局装置３から受信した上位層の信号に基づいて各種設定情報／パラメータをセットする。すなわち、無線リソース制御部１０１１は、基地局装置３から受信した各種設定情報／パラメータを示す情報に基づいて各種設定情報／パラメータをセットする。また、無線リソース制御部１０１１は、上りリンクの各チャネルに配置される情報を生成し、送信部１０７に出力する。無線リソース制御部１０１１を設定部１０１１とも称する。
【０２２５】
ここで、上位層処理部１０１が備えるスケジューリング情報解釈部１０１３は、受信部１０５を介して受信したＤＣＩフォーマット（スケジューリング情報）の解釈をし、前記ＤＣＩフォーマットを解釈した結果に基づき、受信部１０５、および送信部１０７の制御を行なうために制御情報を生成し、制御部１０３に出力する。
【０２２６】
また、上位層処理部１０１が備えるＳＰＳ制御部１０１５は、各種設定情報、および、パラメータなどＳＰＳに関連する情報、状況に基づいて、ＳＰＳに関連する制御を行う。例えば、上位層処理部１０１は、端末装置１におけるＭＡＣエンティティ、端末装置１におけるＨＡＲＱエンティティ、および、端末装置１における第１のエンティティの処理を行ってもよい。また、エンティティはエンティティ部として構成されてもよい。ＨＡＲＱエンティティは、少なくとも１つのＨＡＲＱプロセスを管理する。
【０２２７】
また、制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０２２８】
また、受信部１０５は、制御部１０３から入力された制御信号に従って、送受信アンテナ部１０９を介して基地局装置３から受信した受信信号を、分離、復調、復号し、復号し
た情報を上位層処理部１０１に出力する。
【０２２９】
また、無線受信部１０５７は、送受信アンテナ部１０９を介して受信した下りリンクの信号を、直交復調によりベースバンド信号に変換し（ダウンコンバート: down covert）
、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からＣＰ（Cyclic Prefix）に相当する部分を除去し、ＣＰを除去した信号に対して高速
フーリエ変換（Fast Fourier Transform: FFT）を行い、周波数領域の信号を抽出する。
【０２３０】
また、多重分離部１０５５は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部１０５５は、チャネル測定部１０５９から入力された伝搬路の推定値から、ＰＨＩＣＨ、ＰＤＣＣＨ、ＥＰＤＣＣＨ、およびＰＤＳＣＨの伝搬路の補償を行なう。また、多重分離部１０５５は、分離した下りリンク参照信号をチャネル測定部１０５９に出力する。
【０２３１】
また、復調部１０５３は、ＰＨＩＣＨに対して対応する符号を乗算して合成し、合成した信号に対してＢＰＳＫ（Binary Phase Shift Keying）変調方式の復調を行ない、復号
化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨおよび／またはＥＰＤＣＣＨに対して、ＱＰＳＫ変調方式の復調を行ない、復号化部１０５１へ出力する。復号化部１０５１は、ＰＤＣＣＨおよび／またはＥＰＤＣＣＨの復号を試み、復号に成功した場合、復号した下りリンク制御情報と下りリンク制御情報が対応するＲＮＴＩとを上位層処理部１０１に出力する。
【０２３２】
また、復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクグラントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【０２３３】
また、チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。チャネル測定部１０５９は、ＣＱＩ（ＣＳＩでもよい）の算出のために、チャネル測定、および／または、干渉測定を行なう。
【０２３４】
また、送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ部１０９を介して基地局装置３に送信する。また、送信部１０７は、上りリンク制御情報を送信する。
【０２３５】
また、符号化部１０７１は、上位層処理部１０１から入力された上りリンク制御情報を畳み込み符号化、ブロック符号化等の符号化を行う。また、符号化部１０７１は、ＰＵＳＣＨのスケジューリングに用いられる情報に基づきターボ符号化を行なう。
【０２３６】
また、変調部１０７３は、符号化部１０７１から入力された符号化ビットをＢＰＳＫ、
ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ（Multiple Input Multiple Output）ＳＭ（Spatial Multiplexing）を用いることにより同一のＰＵＳＣＨで送信される複数の上りリンクデータを、複数の系列にマッピングし、この系列に対してプレコーディング（precoding）を行なう。
【０２３７】
また、上りリンク参照信号生成部１０７９は、基地局装置３を識別するための物理レイヤセル識別子（physical layer cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。多重部１０７５は、制御部１０３から入力された制御信号に従って、ＰＵＳＣＨの変調シンボルを並列に並び替えてから離散フーリエ変換（Discrete
Fourier Transform: DFT）する。また、多重部１０７５は、ＰＵＣＣＨとＰＵＳＣＨの
信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【０２３８】
また、無線送信部１０７７は、多重された信号を逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、ローパスフィルタを用いて余分な周波数成分を除去し、搬送波周波数にアップコンバート（up convert）し、電力増幅し、送受信アンテナ部１０９に出力して送信する。
【０２３９】
図１２は、本実施形態における基地局装置３の構成を示す概略ブロック図である。図に示すように、基地局装置３は、上位層処理部３０１、制御部３０３、受信部３０５、送信部３０７、および、送受信アンテナ部３０９、を含んで構成される。また、上位層処理部３０１は、無線リソース制御部３０１１、スケジューリング部３０１３、および、ＳＰＳ制御部３０１５を含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０２４０】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０２４１】
また、上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（Control Element）などを生成し、又は上
位ノードから取得し、送信部３０７に出力する。また、無線リソース制御部３０１１は、端末装置１各々の各種設定情報／パラメータの管理をする。無線リソース制御部３０１１は、上位層の信号を介して端末装置１各々に対して各種設定情報／パラメータをセットしてもよい。すなわち、無線リソース制御部１０１１は、各種設定情報／パラメータを示す情報を送信／報知する。無線リソース制御部３０１１を設定部３０１１とも称する。
【０２４２】
また、上位層処理部３０１が備えるスケジューリング部３０１３は、受信したチャネル
状態情報およびチャネル測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１３は、スケジューリング結果に基づき、受信部３０５、および送信部３０７の制御を行なうために制御情報（例えば、ＤＣＩフォーマット）を生成し、制御部３０３に出力する。スケジューリング部３０１３は、さらに、送信処理および受信処理を行うタイミングを決定する。
【０２４３】
また、上位層処理部３０１が備えるＳＰＳ制御部３０１５は、各種設定情報、および、パラメータなどＳＰＳに関連する情報、状況に基づいて、ＳＰＳに関連する制御を行う。例えば、上位層処理部３０１は、基地局装置３におけるＭＡＣエンティティ、基地局装置３におけるＨＡＲＱエンティティ、および、基地局装置３における第１のエンティティの処理を行ってもよい。また、エンティティはエンティティ部として構成されてもよい。ＨＡＲＱエンティティは、少なくとも１つのＨＡＲＱプロセスを管理する。
【０２４４】
また、制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０２４５】
また、受信部３０５は、制御部３０３から入力された制御信号に従って、送受信アンテナ部３０９を介して端末装置１から受信した受信信号を分離、復調、復号し、復号した情報を上位層処理部３０１に出力する。無線受信部３０５７は、送受信アンテナ部３０９を介して受信された上りリンクの信号を、直交復調によりベースバンド信号に変換し（ダウンコンバート: down covert）、不要な周波数成分を除去し、信号レベルが適切に維持さ
れるように増幅レベルを制御し、受信された信号の同相成分および直交成分に基づいて、直交復調し、直交復調されたアナログ信号をディジタル信号に変換する。また、受信部３０５は、上りリンク制御情報を受信する。
【０２４６】
また、無線受信部３０５７は、変換したディジタル信号からＣＰ（Cyclic Prefix）に
相当する部分を除去する。無線受信部３０５７は、ＣＰを除去した信号に対して高速フーリエ変換（Fast Fourier Transform: FFT）を行い、周波数領域の信号を抽出し多重分離
部３０５５に出力する。
【０２４７】
また、多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各端末装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０２４８】
また、復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ
、６４ＱＡＭ等の予め定められた、または自装置が端末装置１各々に上りリンクグラントで予め通知した変調方式を用いて受信信号の復調を行なう。復調部３０５３は、端末装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０２４９】
また、復号化部３０５１は、復調されたＰＵＣＣＨとＰＵＳＣＨの符号化ビットを、予め定められた符号化方式の、予め定められた、又は自装置が端末装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【０２５０】
また、送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＥＰＤＣＣＨ、ＰＤＳＣＨ、および下りリンク参照信号を多重して、送受信アンテナ部３０９を介して端末装置１に信号を送信する。
【０２５１】
また、符号化部３０７１は、上位層処理部３０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０２５２】
また、下りリンク参照信号生成部３０７９は、基地局装置３を識別するための物理レイヤセル識別子（ＰＣＩ）などを基に予め定められた規則で求まる、端末装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０２５３】
また、無線送信部３０７７は、多重された変調シンボルなどを逆高速フーリエ変換（Inverse Fast Fourier Transform: IFFT）して、ＯＦＤＭシンボルを生成し、生成したＯＦＤＭシンボルにＣＰを付加し、ベースバンドのディジタル信号を生成し、ベースバンドのディジタル信号をアナログ信号に変換し、ローパスフィルタにより余分な周波数成分を除去し、搬送波周波数にアップコンバート（up convert）し、電力増幅し、送受信アンテナ部３０９に出力して送信する。
【０２５４】
より具体的には、本実施形態における端末装置１は、パラメータ（skipUplinkTxSPS）
が含まれるＲＲＣメッセージを受信し、セミパーシステントスケジューリングの活性化を指示するために用いられる第１の上りリンクグラントを受信する受信部１０５と、前記第１の上りリンクグラントを、設定される上りリンクグラントとしてストアし、所定の条件を満たすサブフレームにおいて前記設定される上りリンクグラントが発生されるとみなし、前記第１の上りリンクグラントに対応するＣＳＩリクエストフィールドがレポートをトリガするようにセットされている場合を除き、前記パラメータ（skipUplinkTxSPS）が設
定されており、且つ、送信に対してパディングＢＳＲのみが利用可能な状態である場合には、前記所定の条件を満たす最初のサブフレームにおける前記設定される上りリンクグラントに対応する第１の送信をスキップし、前記パラメータ（skipUplinkTxSPS）が設定さ
れており、レポートをトリガしないようにセットされたＣＳＩリクエストフィールドが含まれる前記第１の上りリンクグラントを受信し、且つ、送信に対してパディングＢＳＲの
みが利用可能な状態でない場合には、前記所定の条件を満たす最初のサブフレームにおける前記設定される上りリンクグラントに対応する第２の送信を実行し、前記パラメータ（skipUplinkTxSPS）が設定されているかどうか、および、送信に対してパディングＢＳＲ
のみが利用可能な状態であるかどうかに関わらず、レポートをトリガするようにセットされたＣＳＩリクエストフィールドが含まれる前記第１の上りリンクグラントを受信した場合には、前記所定の条件を満たす最初のサブフレームにおける前記設定される上りリンクグラントに対応する第３の送信を実行する送信部１０７と、を備える。ここで、前記第３の送信には、少なくとも、アピリオディックＣＳＩレポートが含まれる。
【０２５５】
また、前記送信部１０７は、前記第１の上りリンクグラントに対応するＣＳＩリクエストフィールドがレポートをトリガするようにセットされているかどうかに関わらず、前記パラメータ（skipUplinkTxSPS）が設定されており、且つ、送信に対してパディングＢＳ
Ｒのみが利用可能な状態でない場合には、前記所定の条件を満たす最初のサブフレームとは異なる前記所定の条件を満たすサブフレームにおける前記設定される上りリンクグラントに対応する第４の送信を実行する。
【０２５６】
また、前記送信部１０７は、前記第１の上りリンクグラントに対応するＣＳＩリクエストフィールドがレポートをトリガするようにセットされているかどうかに関わらず、前記パラメータ（skipUplinkTxSPS）が設定されており、且つ、送信に対してパディングＢＳ
Ｒのみが利用可能な状態である場合には、前記所定の条件を満たす最初のサブフレームとは異なる前記所定の条件を満たすサブフレームにおける前記設定される上りリンクグラントに対応する第５の送信をスキップする。
【０２５７】
また、前記受信部１０７は、セミパーシステントスケジューリングのリリースを指示するために用いられる第２の上りリンクグラントを受信し、前記送信部１０５は、前記パラメータ（skipUplinkTxSPS）が設定されているかどうか、および、送信に対してパディン
グＢＳＲのみが利用可能な状態であるかどうかに関わらず、レポートをトリガするようにセットされたＣＳＩリクエストフィールドが含まれる前記第２の上りリンクグラントを受信した場合には、前記所定の条件を満たす最初のサブフレームにおける前記設定される上りリンクグラントに対応する第６の送信を実行する。ここで、前記第６の送信には、少なくとも、アピリオディックＣＳＩレポートが含まれる。
【０２５８】
また、前記送信部１０５は、前記第２の上りリンクグラントに対応するＣＳＩリクエストフィールドがレポートをトリガするようにセットされている場合を除き、前記パラメータ（skipUplinkTxSPS）が設定されており、且つ、送信に対してパディングＢＳＲのみが
利用可能な状態である場合には、前記所定の条件を満たす最初のサブフレームにおける前記設定される上りリンクグラントに対応する第７の送信（ＳＰＳ確認）を実行する。ここで、前記第７の送信には、少なくとも、ＳＰＳ確認が含まれる。
【０２５９】
前記送信部１０５は、前記パラメータ（skipUplinkTxSPS）が設定されており、レポー
トをトリガしないようにセットされたＣＳＩリクエストフィールドが含まれる前記第２の上りリンクグラントを受信し、且つ、送信に対してパディングＢＳＲのみが利用可能な状態でない場合には、前記所定の条件を満たす最初のサブフレームにおける前記設定される上りリンクグラントに対応する第８の送信を実行する。ここで、前記第８の送信には、少なくとも、ＳＰＳ確認が含まれる。
【０２６０】
また、本実施形態における基地局装置３は、パラメータ（skipUplinkTxSPS）が含まれ
るＲＲＣメッセージを送信し、セミパーシステントスケジューリングの活性化を指示するために用いられる第１の上りリンクグラントを送信する送信部３０７と、前記第１の上りリンクグラントを、設定される上りリンクグラントとしてストアし、所定の条件を満たす
サブフレームにおいて前記設定される上りリンクグラントが発生されるとみなし、前記第１の上りリンクグラントに対応するＣＳＩリクエストフィールドがレポートをトリガするようにセットしている場合を除き、前記パラメータ（skipUplinkTxSPS）を設定しており
、且つ、端末装置が送信に対してパディングＢＳＲのみが利用可能な状態である場合には、前記所定の条件を満たす最初のサブフレームにおける前記設定される上りリンクグラントに対応する第１の送信がスキップされるとみなし、前記パラメータ（skipUplinkTxSPS
）が設定されており、レポートをトリガしないようにセットしたＣＳＩリクエストフィールドが含まれる前記第１の上りリンクグラントを送信し、且つ、前記端末装置が送信に対してパディングＢＳＲのみが利用可能な状態でない場合には、前記所定の条件を満たす最初のサブフレームにおける前記設定される上りリンクグラントに対応する第２の送信を受信し、前記パラメータ（skipUplinkTxSPS）を設定しているかどうか、および、前記端末
装置が送信に対してパディングＢＳＲのみが利用可能な状態であるかどうかに関わらず、レポートをトリガするようにセットしたＣＳＩリクエストフィールドが含まれる前記第１の上りリンクグラントを送信した場合には、前記所定の条件を満たす最初のサブフレームにおける前記設定される上りリンクグラントに対応する第３の送信を受信する受信部３０５と、を備える。ここで、前記第３の送信には、少なくとも、アピリオディックＣＳＩレポートが含まれる。
【０２６１】
また、前記受信部３０５は、前記第１の上りリンクグラントに対応するＣＳＩリクエストフィールドがレポートをトリガするようにセットしたかどうかに関わらず、前記パラメータ（skipUplinkTxSPS）を設定しており、且つ、前記端末装置が送信に対してパディン
グＢＳＲのみが利用可能な状態でない場合には、前記所定の条件を満たす最初のサブフレームとは異なる前記所定の条件を満たすサブフレームにおける前記設定される上りリンクグラントに対応する第４の送信を受信する。
【０２６２】
また、前記受信部３０５は、前記第１の上りリンクグラントに対応するＣＳＩリクエストフィールドがレポートをトリガするようにセットしているかどうかに関わらず、前記パラメータ（skipUplinkTxSPS）を設定しており、且つ、前記端末装置が送信に対してパデ
ィングＢＳＲのみが利用可能な状態である場合には、前記所定の条件を満たす最初のサブフレームとは異なる前記所定の条件を満たすサブフレームにおける前記設定される上りリンクグラントに対応する第５の送信がスキップされるとみなす。
【０２６３】
また、前記送信部３０７は、セミパーシステントスケジューリングのリリースを指示するために用いられる第２の上りリンクグラントを送信し、前記受信部３０５は、前記パラメータ（skipUplinkTxSPS）を設定しているかどうか、および、前記端末装置が送信に対
してパディングＢＳＲのみが利用可能な状態であるかどうかに関わらず、レポートをトリガするようにセットしたＣＳＩリクエストフィールドが含まれる前記第２の上りリンクグラントを送信した場合には、前記所定の条件を満たす最初のサブフレームにおける前記設定される上りリンクグラントに対応する第６の送信を受信する。ここで、前記第６の送信には、少なくとも、アピリオディックＣＳＩレポートが含まれる。
【０２６４】
また、前記受信部３０５は、前記第２の上りリンクグラントに対応するＣＳＩリクエストフィールドがレポートをトリガするようにセットした場合を除き、前記パラメータ（skipUplinkTxSPS）が設定されており、且つ、前記端末装置が送信に対してパディングＢＳ
Ｒのみが利用可能な状態である場合には、前記所定の条件を満たす最初のサブフレームにおける前記設定される上りリンクグラントに対応する第７の送信（ＳＰＳ確認）を受信する。ここで、前記第７の送信には、少なくとも、ＳＰＳ確認が含まれる。
【０２６５】
前記受信部３０７は、前記パラメータ（skipUplinkTxSPS）が設定されており、レポー
トをトリガしないようにセットしたＣＳＩリクエストフィールドが含まれる前記第２の上
りリンクグラントを送信し、且つ、前記端末装置が送信に対してパディングＢＳＲのみが利用可能な状態でない場合には、前記所定の条件を満たす最初のサブフレームにおける前記設定される上りリンクグラントに対応する第８の送信を受信する。ここで、前記第８の送信には、少なくとも、ＳＰＳ確認が含まれる。
【０２６６】
これにより、上りリンク制御情報を効率的に送信することができる。
【０２６７】
本発明に関わる基地局装置３、および端末装置１で動作するプログラムは、本発明に関わる上記実施形態の機能を実現するように、ＣＰＵ（Central Processing Unit）等を制
御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤ
Ｄ（Hard Disk Drive）に格納され、必要に応じてＣＰＵによって読み出し、修正・書き
込みが行われる。
【０２６８】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２６９】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２７０】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２７１】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０２７２】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０２７３】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回
路、又は汎用プロセッサで実現しても良い。また、半導体技術の進歩によりＬＳＩに代替する集積回路化の技術が出現した場合、当該技術による集積回路を用いることも可能である。
【０２７４】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２７５】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２７６】
１（１Ａ、１Ｂ、１Ｃ）  端末装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  スケジューリング情報解釈部
１０１５  ＳＰＳ制御部
３０１１  無線リソース制御部
３０１３  スケジューリング部
３０１５  ＳＰＳ制御部
【図１】
2019153824.tif 000004
【図２】
2019153824.tif 000005
【図３】
2019153824.tif 000006
【図４】
2019153824.tif 000007
【図５】
2019153824.tif 000008
【図６】
2019153824.tif 000009
【図７】
2019153824.tif 000010
【図８】
2019153824.tif 000011
【図９】
2019153824.tif 000012
【図１０】
2019153824.tif 000013
【図１１】
2019153824.tif 000014
【図１２】
2019153824.tif 000015